(57)【要約】  可撓性陰圧システムのためのコネクタおよびデバイスについて記載される。【選択図】図８
2019524229.tif 000002
【特許請求の範囲】
【請求項１】
陰圧閉鎖療法で使用するためのデバイスであって、
ａ）第１の接続箇所と、
ｂ）空気入口継手と、空気出口継手および前記空気入口継手を接続する空気経路とを備えるコネクタであって、前記コネクタの前記空気出口継手が、前記第１の接続箇所に結合され、前記コネクタが、
ｉ）第１のコネクタであって、前記第１のコネクタの前記空気入口継手が、第１の流体保持源と接続するように構成されている、第１のコネクタ、ならびに
ｉｉ）流体経路によって接続された流体入口継手および流体出口継手をさらに備える第２のコネクタであって、前記第２のコネクタの前記空気入口継手および前記流体出口継手が、第２の流体保持源と接続するように構成され、前記流体入口継手が、移行被覆材または流体保持被覆材と個別に接続するように構成されている、第２のコネクタ、からさらに選択される、コネクタと、を備え、
前記第１のコネクタおよび前記第２のコネクタが、前記デバイスの前記第１の接続箇所に交換可能に接続する、デバイス。
【請求項２】
前記第１のコネクタのセンサ出口継手および前記第２のコネクタのセンサ出口継手と接続するように構成されている第２の接続箇所をさらに備え、前記第１のコネクタおよび前記第２のコネクタが各々、センサ入口継手と、前記センサ出口継手および前記センサ入口継手を接続するセンサ経路とをさらに備える、請求項１に記載のデバイス。
【請求項３】
前記第１の接続箇所および前記第２の接続箇所が、前記デバイスの第１の側面上に位置付けられている、請求項２に記載のデバイス。
【請求項４】
前記第１の接続箇所の中心と前記第２の接続箇所の中心との間の最短距離が、約１ｍｍ〜約２０ｍｍである、請求項２または請求項３に記載のデバイス。
【請求項５】
前記第１のコネクタの前記空気入口継手が、空気供給管を介して前記第１の流体保持源に接続する、請求項１〜４のいずれかに記載のデバイス。
【請求項６】
前記第１のコネクタの前記センサ入口継手が、前記第１の流体保持源と接続するように構成されている、請求項２に記載のデバイス。
【請求項７】
前記第１のコネクタの前記センサ入口継手が、感知線を介して前記第１の流体保持源に接続する、請求項６に記載のデバイス。
【請求項８】
前記第１の流体保持源が、吸収性創傷被覆材である、請求項１〜７のいずれかに記載のデバイス。
【請求項９】
前記第２のコネクタの前記流体出口継手が、前記第２の流体保持源の流体受容継手と接続するように構成されている、請求項１〜８のいずれかに記載のデバイス。
【請求項１０】
前記第２のコネクタの前記流体出口継手または前記第２の流体保持源の前記流体受容継手が、前記第２のコネクタと前記第２の流体保持源との間に密閉接続を提供するように構成されている密閉部材を備える、請求項９に記載のデバイス。
【請求項１１】
前記密閉部材がＯリングである、請求項１０に記載のデバイス。
【請求項１２】
前記第２のコネクタの前記流体入口継手が、流体供給管を介して前記移行被覆材と接続するように構成されている、請求項１〜１１のいずれかに記載のデバイス。
【請求項１３】
前記第２のコネクタの前記流体入口継手が、流体供給管を介して前記流体保持被覆材と接続するように構成されている、請求項１〜１１のいずれかに記載のデバイス。
【請求項１４】
前記第２のコネクタの前記空気入口継手が、前記第２の流体保持源の空気放出継手と接続するように構成されている、請求項１〜１３のいずれかに記載のデバイス。
【請求項１５】
前記第２のコネクタの前記空気入口継手または前記第２の流体保持源の前記空気放出継手が、前記第２のコネクタと前記第２の流体保持源との間に密閉接続を提供するように構成されている密閉部材を備える、請求項１４に記載のデバイス。
【請求項１６】
前記密閉部材がＯリングである、請求項１５に記載のデバイス。
【請求項１７】
前記第２のコネクタの前記センサ入口継手が、感知線を介して前記移行被覆材と接続するように構成されている、請求項２に記載のデバイス。
【請求項１８】
前記第２のコネクタの前記センサ入口継手が、感知線を介して前記流体保持被覆材と接続するように構成されている、請求項２に記載のデバイス。
【請求項１９】
前記第２のコネクタの前記流体出口継手が前記第２の流体保持源に接続されていないとき、前記第２のコネクタの前記流体経路が、液体を保持するように構成されている、請求項１〜１８のいずれかに記載のデバイス。
【請求項２０】
前記第２の流体保持源がキャニスタである、請求項１〜１９のいずれかに記載のデバイス。
【請求項２１】
前記流体保持被覆材が吸収性材料を含む、請求項１３または請求項１８に記載のデバイス。
【請求項２２】
前記空気経路の長さが、約０．５ｃｍ〜約２ｃｍである、請求項１〜２１のいずれかに記載のデバイス。
【請求項２３】
前記センサ経路の長さが、約０．５ｃｍ〜約２ｃｍである、請求項２に記載のデバイス。
【請求項２４】
前記空気出口継手が、押し込み式継手である、請求項１〜２３のいずれかに記載のデバイス。
【請求項２５】
前記センサ出口継手が、押し込み式継手である、請求項２に記載のデバイス。
【請求項２６】
前記センサ入口継手が、押し込み式継手である、請求項２に記載のデバイス。
【請求項２７】
前記第１のコネクタの前記空気入口継手が、押し込み式継手である、請求項１〜２６のいずれかに記載のデバイス。
【請求項２８】
前記第２のコネクタの前記空気入口継手が、押し込み式継手である、請求項１〜２７のいずれかに記載のデバイス。
【請求項２９】
前記第２のコネクタの前記流体入口継手が、押し込み式継手である、請求項１〜２８のいずれかに記載のデバイス。
【請求項３０】
前記第２のコネクタの前記流体出口継手が、押し込み式継手である、請求項１〜２９のいずれかに記載のデバイス。
【請求項３１】
前記空気出口継手が、雄型継手である、請求項１〜３０のいずれかに記載のデバイス。
【請求項３２】
前記センサ出口継手が、雄型継手である、請求項２に記載のデバイス。
【請求項３３】
前記センサ入口継手が、雄型継手である、請求項２に記載のデバイス。
【請求項３４】
前記第１のコネクタの前記空気入口継手が、雄型継手である、請求項１〜３３のいずれかに記載のデバイス。
【請求項３５】
前記第２のコネクタの前記空気入口継手が、雌型継手である、請求項１〜３４のいずれかに記載のデバイス。
【請求項３６】
前記第２のコネクタの前記流体出口継手が、雌型継手である、請求項１〜３５のいずれかに記載のデバイス。
【請求項３７】
前記第２のコネクタの前記流体入口継手が、雄型継手である、請求項１〜３６のいずれかに記載のデバイス。
【請求項３８】
前記空気出口継手または前記第１の接続箇所が、前記空気出口継手と前記第１の接続箇所との間に密閉接続を提供するように構成されている密閉部材を備える、請求項１〜３７のいずれかに記載のデバイス。
【請求項３９】
前記密閉部材がＯリングである、請求項３８に記載のデバイス。
【請求項４０】
前記センサ出口継手または前記第２の接続箇所が、前記センサ出口継手と前記第２の接続箇所との間に密閉接続を提供するように構成されている密閉部材を備える、請求項２に記載のデバイス。
【請求項４１】
前記密閉部材がＯリングである、請求項４０に記載のデバイス。
【請求項４２】
前記第１の接続箇所が、雌型継手を備える、請求項１〜４１のいずれかに記載のデバイス。
【請求項４３】
前記第２の接続箇所が、雌型継手を備える、請求項２に記載のデバイス。
【請求項４４】
前記デバイスが、前記第１のコネクタまたは前記第２のコネクタによって接続された第１の区画および第２の区画を備える、請求項１〜４３のいずれかに記載のデバイス。
【請求項４５】
前記第１の区画が、前記第１の接続箇所を備える、請求項４４に記載のデバイス。
【請求項４６】
前記第１の接続箇所が、陰圧源と流体連通するように構成されている、請求項４４または請求項４５に記載のデバイス。
【請求項４７】
前記第１の区画が、前記陰圧源を備える、請求項４６に記載のデバイス。
【請求項４８】
前記陰圧源が、ダイヤフラムポンプである、請求項４６または請求項４７に記載のデバイス。
【請求項４９】
前記第２の接続箇所が、圧力センサと流体連通するように構成されている、請求項２に記載のデバイス。
【請求項５０】
前記デバイスの第１の区画が、前記圧力センサを備える、請求項４９に記載のデバイス。
【請求項５１】
前記第２の区画が、電源を備える、請求項４４〜４８のいずれかに記載のデバイス。
【請求項５２】
前記デバイスが、前記第１のコネクタを備え、前記電源が、約２４時間〜約３０日間、陰圧源に電力を供給するように構成されている、請求項５１に記載のデバイス。
【請求項５３】
前記デバイスが、前記第２のコネクタを備え、前記電源が、約６時間〜約３日間、陰圧源に電力を供給するように構成されている、請求項５１に記載のデバイス。
【請求項５４】
前記電源が電池を含む、請求項５１〜５３のいずれかに記載のデバイス。
【請求項５５】
前記電源が、前記第２の区画から取り外し可能である、請求項５１〜５４のいずれかに記載のデバイス。
【請求項５６】
前記電源が交換可能である、請求項５５に記載のデバイス。
【請求項５７】
前記第１の区画が、前記陰圧源の動作を制御するためのコントローラをさらに備える、請求項４７〜４８のいずれかに記載のデバイス。
【請求項５８】
前記第１の区画が、射出成形可能なプラスチック材料からなる、請求項４４〜４８のいずれかに記載のデバイス。
【請求項５９】
前記第２の区画が、射出成形可能なプラスチック材料からなる、請求項４４〜４８のいずれかに記載のデバイス。
【請求項６０】
前記第１のコネクタ、前記第２のコネクタ、または前記第１のコネクタおよび前記第２のコネクタの両方が、射出成形可能なプラスチック材料からなる、請求項１〜５９のいずれかに記載のデバイス。
【請求項６１】
前記第１のコネクタおよび前記第２のコネクタの長さが、約５ｍｍ〜約４０ｍｍである、請求項１〜６０のいずれかに記載のデバイス。
【請求項６２】
前記空気経路の直径が、約０．５ｍｍ〜約５ｍｍである、請求項１〜６１のいずれかに記載のデバイス。
【請求項６３】
前記センサ経路の直径が、約０．５ｍｍ〜約５ｍｍである、請求項２に記載のデバイス。
【請求項６４】
前記空気出口継手が、電気接点を備える、請求項１〜６３のいずれかに記載のデバイス。
【請求項６５】
キャニスタとともに陰圧閉鎖療法で使用するためのコネクタであって、前記コネクタが、流体経路によって流体出口継手に接続された流体入口継手と、空気経路によって空気出口継手に接続された空気入口継手とを備え、前記流体出口継手および前記空気入口継手を前記キャニスタに接合すると、前記流体出口継手が前記空気入口継手と流体連通するように構成されている、コネクタ。
【請求項６６】
前記流体出口継手が、前記キャニスタの流体受容継手と接続するように構成されている、請求項６５に記載のコネクタ。
【請求項６７】
前記コネクタの前記流体出口継手または前記キャニスタの前記流体受容継手が、前記コネクタと前記キャニスタとの間に密閉接続を提供するように構成されている密閉部材を備える、請求項６６に記載のコネクタ。
【請求項６８】
前記空気入口継手が、前記キャニスタの空気放出継手と接続するように構成されている、請求項６５〜６７のいずれかに記載のコネクタ。
【請求項６９】
前記コネクタの前記空気入口継手または前記キャニスタの前記流体受容継手が、前記コネクタと前記キャニスタとの間に密閉接続を提供するように構成されている密閉部材を備える、請求項６８に記載のコネクタ。
【請求項７０】
前記密閉部材がＯリングである、請求項６７または請求項６９に記載のコネクタ。
【請求項７１】
センサ経路によってセンサ出口継手に接続されたセンサ入口継手をさらに備える、請求項６５〜７０のいずれかに記載のコネクタ。
【請求項７２】
前記流体出口継手および前記空気入口継手が前記キャニスタに接合されていないとき、前記流体経路が、液体を保持するように構成されている、請求項６５〜７１のいずれかに記載のコネクタ。
【請求項７３】
前記流体入口継手が、押し込み式継手である、請求項６５〜７２のいずれかに記載のコネクタ。
【請求項７４】
前記流体出口継手が、押し込み式継手である、請求項６５〜７３のいずれかに記載のコネクタ。
【請求項７５】
前記空気入口継手が、押し込み式継手である、請求項６５〜７４のいずれかに記載のコネクタ。
【請求項７６】
前記空気出口継手が、押し込み式継手である、請求項６５〜７５のいずれかに記載のコネクタ。
【請求項７７】
前記流体入口継手が、雄型継手である、請求項６５〜７６のいずれかに記載のコネクタ。
【請求項７８】
前記流体出口継手が、雌型継手である、請求項６５〜７７のいずれかに記載のコネクタ。
【請求項７９】
前記空気入口継手が、雌型継手である、請求項６５〜７８のいずれかに記載のコネクタ。
【請求項８０】
前記空気出口継手が、雄型継手である、請求項６５〜７９のいずれかに記載のコネクタ。
【請求項８１】
前記空気出口継手を陰圧源の接続箇所へ接続すると、前記空気出口継手が、前記陰圧源と流体連通するように構成されている、請求項６５〜８０のいずれかに記載のコネクタ。
【請求項８２】
前記コネクタの前記空気出口部分または前記陰圧源の前記接続箇所が、前記コネクタと前記陰圧源との間に密閉接続を提供するように構成されている密閉部材を備える、請求項８１に記載のコネクタ。
【請求項８３】
前記密閉部材がＯリングである、請求項８２に記載のコネクタ。
【請求項８４】
前記陰圧源が、ダイヤフラムポンプである、請求項８１〜８３のいずれかに記載のコネクタ。
【請求項８５】
前記コネクタの長さが、約５ｍｍ〜約４０ｍｍである、請求項６５〜８４のいずれかに記載のコネクタ。
【請求項８６】
前記コネクタの幅が、約５ｍｍ〜約２０ｍｍである、請求項６５〜８５のいずれかに記載のコネクタ。
【請求項８７】
前記空気経路の長さが、約０．５ｃｍ〜約２ｃｍである、請求項６５〜８６のいずれかに記載のコネクタ。
【請求項８８】
前記流体経路の長さが、約０．５ｃｍ〜約２ｃｍである、請求項６５〜８７のいずれかに記載のコネクタ。
【請求項８９】
射出成形可能なプラスチック材料を含む、請求項６５〜８８のいずれかに記載のコネクタ。
【請求項９０】
前記空気経路の直径が、約０．５ｍｍ〜約５ｍｍである、請求項６５〜８９のいずれかに記載のコネクタ。
【請求項９１】
前記流体経路の直径が、約０．５ｍｍ〜約５ｍｍである、請求項６５〜９０のいずれかに記載のコネクタ。
【請求項９２】
前記空気出口継手が、電気接点を備える、請求項６５〜９１のいずれかに記載のコネクタ。
【請求項９３】
前記コネクタが接続デバイスの一部であり、前記接続デバイスが電源をさらに備える、請求項６５〜９２のいずれかに記載のコネクタ。
【請求項９４】
前記電源が、約２４時間〜約６０日間、陰圧源に電力を供給するように構成されている、請求項９３に記載のコネクタ。
【請求項９５】
前記電源が電池を含む、請求項９３または請求項９４に記載のコネクタ。
【請求項９６】
前記電源が、前記第２の区画から取り外し可能である、請求項９３〜９５のいずれかに記載のコネクタ。
【請求項９７】
前記電源が交換可能である、請求項９６に記載のコネクタ。
【請求項９８】
前記流体入口継手が、流体供給管を介して移行被覆材と接続するように構成されている、請求項６５〜９７のいずれかに記載のコネクタ。
【請求項９９】
前記流体入口継手が、流体供給管を介して流体保持被覆材と接続するように構成されている、請求項６５〜９７のいずれかに記載のコネクタ。
【請求項１００】
請求項６５〜９９のいずれかに記載のコネクタと前記キャニスタとを備えるデバイス。
【請求項１０１】
請求項９４に記載のコネクタと前記陰圧源とを備えるデバイス。
【請求項１０２】
請求項９８に記載のコネクタと前記移行被覆材とを備えるデバイス。
【請求項１０３】
流体保持被覆材とともに陰圧閉鎖療法で使用するためのコネクタであって、前記コネクタが、空気経路によって空気出口継手に接続された空気入口継手を備え、陰圧源から印加される陰圧が前記流体保持被覆材によって受容されるように、空気入口継手が、前記流体保持被覆材と接続するように構成され、前記空気出口継手が、前記陰圧源と接続するように構成されている、コネクタ。
【請求項１０４】
前記空気経路の長さが、約０．５ｃｍ〜約２ｃｍである、請求項１０３に記載のコネクタ。
【請求項１０５】
センサ経路によってセンサ出口継手に接続されたセンサ入口継手をさらに備える、請求項１０３または請求項１０４に記載のコネクタ。
【請求項１０６】
前記センサ入口継手が、前記流体保持被覆材と接続するように構成されている、請求項１０５に記載のコネクタ。
【請求項１０７】
前記センサ出口継手が、圧力センサと接続するように構成されている、請求項１０５または請求項１０６に記載のコネクタ。
【請求項１０８】
前記圧力センサおよび前記陰圧源が、制御ユニットに収容されている、請求項１０７に記載のコネクタ。
【請求項１０９】
前記空気入口継手が、押し込み式継手である、請求項１０３〜１０８のいずれかに記載のコネクタ。
【請求項１１０】
前記空気出口継手が、押し込み式継手である、請求項１０３〜１０９のいずれかに記載のコネクタ。
【請求項１１１】
前記空気入口継手が、雄型継手である、請求項１０３〜１１０のいずれかに記載のコネクタ。
【請求項１１２】
前記空気出口継手が、雄型継手である、請求項１０３〜１１１のいずれかに記載のコネクタ。
【請求項１１３】
前記コネクタの長さが、約５ｍｍ〜約４０ｍｍである、請求項１０３〜１１２のいずれかに記載のコネクタ。
【請求項１１４】
前記コネクタの幅が、約５ｍｍ〜約２０ｍｍである、請求項１０３〜１１３のいずれかに記載のコネクタ。
【請求項１１５】
射出成形可能なプラスチック材料を含む、請求項１０３〜１１４のいずれかに記載のコネクタ。
【請求項１１６】
前記空気経路の直径が、約０．５ｍｍ〜約５ｍｍである、請求項１０３〜１１５のいずれかに記載のコネクタ。
【請求項１１７】
前記空気出口継手が、電気接点を備える、請求項１０３〜１１６のいずれかに記載のコネクタ。
【請求項１１８】
前記コネクタが接続デバイスの一部であり、前記接続デバイスが電源をさらに備える、請求項１０３〜１１７のいずれかに記載のコネクタ。
【請求項１１９】
前記電源が、約２４時間〜約３０日間、陰圧源に電力を供給するように構成されている、請求項１１８に記載のコネクタ。
【請求項１２０】
前記電源が電池を含む、請求項１１８または請求項１１９に記載のコネクタ。
【請求項１２１】
前記電源が、前記第２の区画から取り外し可能である、請求項１１８〜１２０のいずれかに記載のコネクタ。
【請求項１２２】
前記電源が交換可能である、請求項１２１に記載のコネクタ。
【請求項１２３】
前記コネクタが前記陰圧源に接続されているとき、前記電源が前記陰圧源に電力を供給する、請求項１１８〜１２２のいずれかに記載のコネクタ。
【請求項１２４】
前記陰圧源が、ダイヤフラムポンプである、請求項１０３〜１２３のいずれかに記載のコネクタ。
【請求項１２５】
請求項１０３〜１２４のいずれかに記載のコネクタと前記陰圧源とを備えるデバイス。
【請求項１２６】
請求項１０３〜１２４のいずれかに記載のコネクタと前記流体保持被覆材とを備えるデバイス。
【請求項１２７】
前記流体保持被覆材が、バッキングであって、陰圧の印加中に創傷から引き込まれた流体を保持するために前記バッキングの内面と前記創傷との間にエンクロージャを作成するように構成されているバッキングを備える、請求項１２６に記載のデバイス。
【請求項１２８】
前記エンクロージャが、吸収性材料を含む、請求項１２７に記載のデバイス。
【請求項１２９】
陰圧閉鎖療法中に流体保持源を交換するための方法であって、
ａ）
ｉ）陰圧源、前記陰圧源と流体連通する第１の接続箇所、センサ、および前記センサと連通する第２の接続箇所を備える制御ユニットと、
ｉｉ）前記制御ユニットの前記第１の接続箇所および前記第２の接続箇所に接続された第１のコネクタと、
ｉｉｉ）前記第１のコネクタに接続された第１の流体保持源と、を提供することと、
ｂ）前記制御ユニットおよび前記第１の流体保持源から前記第１のコネクタをいずれかの順序で切り離すことと、
ｃ）第２のコネクタを、第２の流体保持源、ならびに前記制御ユニットの前記第１の接続箇所および前記第２の接続箇所に接続することであって、前記第２のコネクタが、前記第２の流体保持源および前記制御ユニットにいずれかの順序で接続される、接続することと、を含み、
前記第１のコネクタおよび前記第２のコネクタが各々、空気経路によって接続された空気出口継手および空気入口継手と、センサ経路によって接続されたセンサ出口継手およびセンサ入口継手とを備え、
前記制御ユニットの前記第１の接続箇所が、ステップ（ａ）で前記第１のコネクタの前記空気出口継手に、かつステップ（ｃ）で前記第２のコネクタの前記空気出口継手に接続され、
前記制御ユニットの前記第２の接続箇所が、ステップ（ａ）で前記第１のコネクタの前記センサ出口継手に、かつステップ（ｃ）で前記第２のコネクタの前記センサ出口継手に接続され、
前記第１の流体保持源が、ステップ（ａ）で前記第１のコネクタの前記空気入口継手に接続され、前記第２の流体保持源が、ステップ（ｃ）で前記第２のコネクタの前記空気入口継手に接続される、方法。
【請求項１３０】
前記第１の流体保持源が第１のキャニスタであり、前記第２の流体保持源が第２のキャニスタである、請求項１２９に記載の方法。
【請求項１３１】
前記第１のコネクタおよび前記第２のコネクタが各々、流体経路によって接続された流体入口継手および流体出口継手をさらに備え、前記第１のキャニスタの前記第１のコネクタへの接続が、前記第１のコネクタの前記流体出口継手と前記空気入口継手との間に流体連通を提供し、前記第２のキャニスタの前記第２のコネクタへの接続が、前記第２のコネクタの前記流体出口継手と前記空気入口継手との間に流体連通を提供する、請求項１３０に記載の方法。
【請求項１３２】
前記第１のコネクタの前記流体入口継手が、移行被覆材または流体保持被覆材に接続される、請求項１３０または請求項１３２に記載の方法。
【請求項１３３】
前記第１の流体保持源が第１の吸収性被覆材であり、前記第２の流体保持源が第２の吸収性被覆材である、請求項１２９に記載の方法。
【請求項１３４】
前記第１のコネクタの前記空気入口継手が、第１の空気供給管によって前記第１の吸収性被覆材に接続され、前記第２のコネクタの前記空気入口継手が、第２の空気供給管によって前記第２の吸収性被覆材に接続される、請求項１３３に記載の方法。
【請求項１３５】
前記第１の流体保持源がキャニスタであり、前記第２の流体保持源が吸収性被覆材である、請求項１２９に記載の方法。
【請求項１３６】
前記第１のコネクタが、流体経路によって接続された流体入口継手および流体出口継手をさらに備え、前記キャニスタの前記第１のコネクタへの接続が、前記第１のコネクタの前記流体出口継手と前記空気入口継手との間に流体連通を提供する、請求項１３５に記載の方法。
【請求項１３７】
前記第１のコネクタの前記流体入口継手が、流体供給管によって移行被覆材または流体保持被覆材に接続される、請求項１３６に記載の方法。
【請求項１３８】
前記第２のコネクタの前記空気入口継手が、空気供給管によって前記吸収性被覆材に接続される、請求項１３５〜１３７のいずれかに記載の方法。
【請求項１３９】
前記第１の流体保持源が吸収性被覆材であり、前記第２の流体保持源がキャニスタである、請求項１２９に記載の方法。
【請求項１４０】
前記第２のコネクタが、流体経路によって接続された流体入口継手および流体出口継手をさらに備え、前記キャニスタの前記第２のコネクタへの接続が、前記第１のコネクタの前記流体出口継手と前記空気入口継手との間に流体連通を提供する、請求項１３９に記載の方法。
【請求項１４１】
前記第２のコネクタの前記流体入口継手が、流体供給管によって移行被覆材または流体保持被覆材に接続される、請求項１４０に記載の方法。
【請求項１４２】
前記第１のコネクタの前記空気入口継手が、空気供給管によって前記吸収性被覆材に接続される、請求項１３９〜１４１のいずれかに記載の方法。
【請求項１４３】
前記第１のコネクタ、前記第２のコネクタ、または前記第１のコネクタおよび前記第２のコネクタの両方が、流体経路によって接続された流体入口継手および流体出口継手をさらに備える、請求項１２９に記載の方法。
【請求項１４４】
前記第１のコネクタが第１の接続デバイスに収容され、前記第２のコネクタが第２の接続デバイスに収容され、前記第１の接続デバイスおよび前記第２の接続デバイスが各々、電源をさらに備える、請求項１２９〜１４３のいずれかに記載の方法。
【請求項１４５】
前記第１のコネクタおよび前記第２のコネクタが前記制御ユニットに接続されているとき、前記電源が前記陰圧源に電力を提供する、請求項１４４に記載の方法。
【請求項１４６】
前記第１のコネクタの前記空気出口および前記第２のコネクタの前記空気出口が各々、前記制御ユニットに電力を提供するための電気接点を備える、請求項１４５に記載の方法。
【請求項１４７】
前記第１の接続デバイスから前記電源を取り外すことと、前記電源をリサイクルすることとをさらに含む、請求項１４４〜１４７のいずれかに記載の方法。
【請求項１４８】
液体が前記第１のコネクタ内に位置し、前記第１のコネクタが前記第１の流体保持源から切り離されるとき、前記液体が前記第１のコネクタ内に保持される、請求項１２９〜１４７のいずれかに記載の方法。
【発明の詳細な説明】
【背景技術】
【０００１】
関連出願の相互参照
本出願は、その全体が参照により本明細書に組み込まれる、２０１６年７月８日に出願された米国仮特許出願第６２／３６０，２３３号の利益を主張する。
【０００２】
創傷は、陰圧閉鎖療法（ＮＰＷＴ）としばしば呼ばれる工程において治癒を促進するために創傷の上の空間に陰圧を提供することによって治療され得る。ＮＰＷＴ中、滲出液等の排出物は、創傷から除去されて収集される。いくつかの療法では、排出物は、陰圧源と創傷の上の空間を提供する移行被覆材との間に位置付けられたキャニスタに貯蔵される。他の療法では、排出物は、創傷の上の空間に提供された吸収被覆材内に貯蔵される。
【発明の概要】
【０００３】
例えば陰圧閉鎖療法（ＮＰＷＴ）中を含む医療処置は、患者からの体液または創傷滲出液の除去を伴うことが多い。ＮＰＷＴの場合、滲出液等の体液は、創傷の上に位置付けられた被覆材および／またはキャニスタ内に収集され得る。ＮＰＷＴを受けている多くの患者にとって、滲出液収集は、治療の第１の部分でキャニスタが体液を収集するのに使用され、治療の第２の部分で吸収被覆材が滲出液を収集するのに使用されるように、治療中に変化を必要とする。ＮＰＷＴ中に患者の変化する必要性に適合し得るデバイスがあれば、使い捨てＮＰＷＴデバイスに一般的である期間よりも長期間同じデバイスを患者に使用することが可能になることによって、ヘルスケア業界に費用便益が提供されるであろう。さらに、このようなデバイスは、治療を通して同じデバイスを使用および修正することを可能にすることによって病院から患者を退院させる工程を単純化することができる。さらに、このデバイスは、使い捨てまたは単一患者用デバイスに典型的なものよりも広範囲の創傷を治療することができるであろう。
【０００４】
本開示の一態様では、陰圧閉鎖療法で使用するためのデバイスであって、（ａ）第１の接続箇所と、（ｂ）空気入口継手と、空気出口継手および空気入口継手を接続する空気経路とを備えるコネクタであって、コネクタの空気出口継手が、第１の接続箇所に結合され、コネクタが、（ｉ）第１のコネクタであって、第１のコネクタの空気入口継手が、第１の流体保持源と接続するように構成されている、第１のコネクタ、ならびに（ｉｉ）流体経路によって接続された流体入口継手および流体出口継手をさらに備える第２のコネクタであって、第２のコネクタの空気入口継手および流体出口継手が、第２の流体保持源と接続するように構成され、流体入口継手が、移行被覆材および流体保持被覆材と個別に接続するように構成されている、第２のコネクタ、からさらに選択される、コネクタと、を備え、第１のコネクタおよび第２のコネクタが、デバイスの第１の接続箇所に交換可能に接続する、デバイスが本明細書に提供される。いくつかの実施形態では、第１のコネクタの空気入口継手は、空気供給管を介して第１の流体保持源に接続する。いくつかの実施形態では、第１の流体保持源は、吸収性創傷被覆材である。いくつかの実施形態では、第２のコネクタの流体出口継手は、第２の流体保持源の流体受容継手と接続するように構成されている。場合によっては、第２のコネクタの流体出口継手または第２の流体保持源の流体受容継手は、第２のコネクタと第２の流体保持源との間に密閉接続を提供するように構成されている密閉部材を備える。場合によっては、密閉部材は、Ｏリングである。いくつかの実施形態では、第２のコネクタの流体入口継手は、流体供給管を介して移行被覆材と接続するように構成されている。場合によっては、第２のコネクタの流体入口継手は、流体供給管を介して流体保持被覆材と接続するように構成されている。場合によっては、流体保持被覆材は、吸収性材料を含む。いくつかの実施形態では、第２のコネクタの空気入口継手は、第２の流体保持源の空気放出継手と接続するように構成されている。場合によっては、第２のコネクタの空気入口継手または第２の流体保持源の空気放出継手は、第２のコネクタと第２の流体保持源との間に密閉接続を提供するように構成されている密閉部材を備える。場合によっては、密閉部材は、Ｏリングである。いくつかの実施形態では、第２のコネクタの流体出口継手が第２の流体保持源に接続されていないとき、第２のコネクタの流体経路は、液体を保持するように構成されている。いくつかの実施形態では、第２の流体保持源は、キャニスタである。
【０００５】
いくつかの実施形態では、空気経路の長さは、約０．５ｃｍ〜約２ｃｍである。いくつかの実施形態では、空気出口継手は、押し込み式継手である。いくつかの実施形態では、第１のコネクタの空気入口継手は、押し込み式継手である。いくつかの実施形態では、第２のコネクタの空気入口継手は、押し込み式継手である。いくつかの実施形態では、第２のコネクタの流体入口継手は、押し込み式継手である。いくつかの実施形態では、第２のコネクタの流体出口継手は、押し込み式継手である。いくつかの実施形態では、空気出口継手は、雄型継手である。いくつかの実施形態では、第１のコネクタの空気入口継手は、雄型継手である。いくつかの実施形態では、第２のコネクタの空気入口継手は、雌型継手である。いくつかの実施形態では、第２のコネクタの流体出口継手は、雌型継手である。いくつかの実施形態では、第２のコネクタの流体入口継手は、雄型継手である。いくつかの実施形態では、空気出口継手または第１の接続箇所は、空気出口継手と第１の接続箇所との間に密閉接続を提供するように構成されている密閉部材を備える。場合によっては、密閉部材は、Ｏリングである。いくつかの実施形態では、第１の接続箇所は、雌型継手を備える。
【０００６】
いくつかの実施形態では、デバイスは、第１のコネクタまたは第２のコネクタによって接続された第１の区画および第２の区画を備える。場合によっては、第１の区画は、第１の接続箇所を備える。場合によっては、第１の接続箇所は、陰圧源と流体連通するように構成されている。場合によっては、第１の区画は、陰圧源を備える。場合によっては、陰圧源は、ダイヤフラムポンプである。場合によっては、第２の区画は、電源を備える。デバイスが第１のコネクタを備えるいくつかの実施形態では、電源は、約２４時間〜約３０日間、陰圧源に電力を供給するように構成されている。デバイスが第２のコネクタを備えるいくつかの実施形態では、電源は、約２４時間〜約６０日間、陰圧源に電力を供給するように構成されている。場合によっては、電源は、電池を含む。場合によっては、電源は、第２の区画から取り外し可能である。場合によっては、電源は交換可能である。いくつかの実施形態では、第１の区画は、陰圧源の動作を制御するためのコントローラをさらに備える。いくつかの実施形態では、第１の区画は、射出成形可能なプラスチック材料からなる。いくつかの実施形態では、第２の区画は、射出成形可能なプラスチック材料からなる。
【０００７】
いくつかの実施形態では、第１のコネクタ、第２のコネクタ、または第１のコネクタおよび第２のコネクタの両方は、射出成形可能なプラスチック材料からなる。いくつかの実施形態では、第１のコネクタおよび第２のコネクタの長さは、約５ｍｍ〜約４０ｍｍである。いくつかの実施形態では、空気経路の直径は、約０．５ｍｍ〜約５ｍｍである。いくつかの実施形態では、空気出口継手は、電気接点を備える。
【０００８】
いくつかの実施形態では、デバイスは、第１のコネクタのセンサ出口継手および第２のコネクタのセンサ出口継手と接続するように構成されている第２の接続箇所をさらに備え、第１のコネクタおよび第２のコネクタは各々、センサ入口継手ならびにセンサ出口継手およびセンサ入口継手を接続するセンサ経路をさらに備える。場合によっては、第１の接続箇所および第２の接続箇所は、デバイスの第１の側面上に位置付けられている。場合によっては、第１の接続箇所の中心と第２の接続箇所の中心との間の最短距離は、約１ｍｍ〜約２０ｍｍである。いくつかの実施形態では、第１のコネクタのセンサ入口継手は、第１の流体保持源と接続するように構成されている。場合によっては、第１のコネクタのセンサ入口継手は、感知線を介して第１の流体保持源に接続する。いくつかの実施形態では、第２のコネクタのセンサ入口継手は、感知線を介して移行被覆材と接続するように構成されている。場合によっては、第２のコネクタは、感知線を介して流体保持被覆材と接続するように構成されている。場合によっては、流体保持被覆材は、吸収性材料を含む。いくつかの実施形態では、センサ経路の長さは、約０．５ｃｍ〜約２ｃｍである。いくつかの実施形態では、センサ出口継手は、押し込み式継手である。いくつかの実施形態では、センサ入口継手は、押し込み式継手である。いくつかの実施形態では、センサ出口継手は、雄型継手である。いくつかの実施形態では、センサ入口継手は、雄型継手である。いくつかの実施形態では、センサ出口継手または第２の接続箇所は、センサ出口継手と第２の接続箇所との間に密閉接続を提供するように構成されている密閉部材を備える。場合によっては、密閉部材は、Ｏリングである。いくつかの実施形態では、第２の接続箇所は、雌型継手を備える。いくつかの実施形態では、第２の接続箇所は、圧力センサと流体連通するように構成されている。場合によっては、デバイスの第１の区画は、圧力センサを備える。いくつかの実施形態では、センサ経路の直径は、約０．５ｍｍ〜約５ｍｍである。
【０００９】
本開示の別の態様では、キャニスタとともに陰圧閉鎖療法で使用するためのコネクタであって、流体経路によって流体出口継手に接続された流体入口継手と、空気経路によって空気出口継手に接続された空気入口継手とを備え、流体出口継手および空気入口継手をキャニスタに接合すると、流体出口継手が空気入口継手と流体連通するように構成されている、コネクタが本明細書に提供される。いくつかの実施形態では、流体出口継手は、キャニスタの流体受容継手と接続するように構成されている。場合によっては、コネクタの流体出口継手またはキャニスタの流体受容継手は、コネクタとキャニスタとの間に密閉接続を提供するように構成されている密閉部材を備える。いくつかの実施形態では、空気入口継手は、キャニスタの空気放出継手と接続するように構成されている。場合によっては、コネクタの空気入口継手またはキャニスタの流体受容継手は、コネクタとキャニスタとの間に密閉接続を提供するように構成されている密閉部材を備える。場合によっては、密閉部材は、Ｏリングである。いくつかの実施形態では、流体入口継手は、移行被覆材と接続するように構成されている。場合によっては、流体入口継手は、流体保持被覆材と接続するように構成されている。場合によっては、流体保持被覆材は、吸収性材料を含む。
【００１０】
いくつかの実施形態では、コネクタは、センサ経路によってセンサ出口継手に接続されたセンサ入口継手をさらに備える。いくつかの実施形態では、流体出口継手および空気入口継手がキャニスタに接合されていないとき、流体経路は、液体を保持するように構成されている。場合によっては、流体入口継手は、押し込み式継手である。場合によっては、液体出口継手は、押し込み式継手である。場合によっては、空気入口継手は、押し込み式継手である。場合によっては、空気出口継手は、押し込み式継手である。場合によっては、流体入口継手は、雄型継手である。場合によっては、流体出口継手は、雌型継手である。場合によっては、空気入口継手は、雌型継手である。場合によっては、空気出口継手は、雄型継手である。
【００１１】
いくつかの実施形態では、空気出口継手を陰圧源の接続箇所へ接続すると、空気出口継手は、陰圧源と流体連通するように構成されている。場合によっては、コネクタの空気出口部分または陰圧源の接続箇所は、コネクタと陰圧源との間に密閉接続を提供するように構成されている密閉部材を備える。場合によっては、密閉部材は、Ｏリングである。場合によっては、陰圧源は、ダイヤフラムポンプである。
【００１２】
いくつかの実施形態では、コネクタの長さは、約５ｍｍ〜約４０ｍｍである。いくつかの実施形態では、コネクタの幅は、約５ｍｍ〜約２０ｍｍである。いくつかの実施形態では、空気経路の長さは、約０．５ｃｍ〜約２ｃｍである。いくつかの実施形態では、流体経路の長さは、約０．５ｃｍ〜約２ｃｍである。いくつかの実施形態では、コネクタは、射出成形可能なプラスチック材料を含む。いくつかの実施形態では、空気経路の直径は、約０．５ｍｍ〜約５ｍｍである。いくつかの実施形態では、流体経路の直径は、約０．５ｍｍ〜約５ｍｍである。いくつかの実施形態では、空気出口継手は、電気接点を備える。いくつかの実施形態では、コネクタは、接続デバイスの一部であり、接続デバイスは、電源をさらに備える。場合によっては、電源は、約２４時間〜約６０日間、陰圧源に電力を供給するように構成されている。場合によっては、電源は、電池を含む。場合によっては、電源は、第２の区画から取り外し可能である。場合によっては、電源は交換可能である。
【００１３】
本明細書に記載のキャニスタとともに使用するためのコネクタと、キャニスタとを備えるデバイスがさらに提供される。本明細書に記載のキャニスタとともに使用するためのコネクタと、陰圧源とを備えるデバイスがさらに提供される。場合によっては、陰圧源は、制御ユニットのハウジング内にある。本明細書に記載のキャニスタとともに使用するためのコネクタと、移行被覆材および／または流体保持被覆材とを備えるデバイスが本明細書にさらに提供される。
【００１４】
本開示の別の態様では、流体保持被覆材とともに陰圧閉鎖療法で使用するためのコネクタであって、コネクタが、空気経路によって空気出口継手に接続された空気入口継手を備え、陰圧源から印加される陰圧が流体保持被覆材によって受容されるように、空気入口継手が、流体保持被覆材と接続するように構成され、空気出口継手が、陰圧源と接続するように構成されている、コネクタが本明細書に提供される。いくつかの実施形態では、空気経路の長さは、約０．５ｃｍ〜約２ｃｍである。いくつかの実施形態では、コネクタは、センサ経路によってセンサ出口継手に接続されたセンサ入口継手をさらに備える。場合によっては、センサ入口継手は、流体保持被覆材と接続するように構成されている。場合によっては、センサ出口継手は、圧力センサと接続するように構成されている。場合によっては、圧力センサおよび／または陰圧源は、制御ユニットに収容されている。
【００１５】
場合によっては、空気入口継手は、押し込み式継手である。場合によっては、空気出口継手は、押し込み式継手である。場合によっては、空気入口継手は、雄型継手である。場合によっては、空気出口継手は、雄型継手である。いくつかの実施形態では、コネクタの長さは、約５ｍｍ〜約４０ｍｍである。いくつかの実施形態では、コネクタの幅は、約５ｍｍ〜約２０ｍｍである。いくつかの実施形態では、コネクタは、射出成形可能なプラスチック材料を含む。いくつかの実施形態では、空気経路の直径は、約０．５ｍｍ〜約５ｍｍである。いくつかの実施形態では、空気出口継手は、電気接点を備える。コネクタが接続デバイスの一部であるいくつかの実施形態では、接続デバイスは、電源をさらに含む。場合によっては、電源は、約２４時間〜約３０日間、陰圧源に電力を供給するように構成されている。場合によっては、電源は、電池を含む。いくつかの実施形態では、電源は、第２の区画から取り外し可能である。場合によっては、電源は交換可能である。場合によっては、コネクタが陰圧源に接続されているとき、電源は、陰圧源に電力を供給する。いくつかの実施形態では、陰圧源は、ダイヤフラムポンプである。
【００１６】
本明細書に記載の流体保持被覆材とともに使用するためのコネクタと、流体保持被覆材とを備えるデバイスがさらに提供される。本明細書に記載の流体保持被覆材とともに使用するためのコネクタと、陰圧源とを備えるデバイスがさらに提供される。場合によっては、陰圧源は、制御ユニットのハウジング内にある。場合によっては、流体保持被覆材は、陰圧の印加中に創傷から引き込まれた流体を保持するために、バッキングの内面と創傷との間にエンクロージャを作成するように構成されているバッキングを備える。場合によっては、エンクロージャは、吸収性材料を含む。
【００１７】
本開示の別の態様では、陰圧閉鎖療法中に流体保持源を交換するための方法であって、（ａ）（ｉ）陰圧源、陰圧源と流体連通する第１の接続箇所、センサ、およびセンサと連通する第２の接続箇所と流体連通する第２の接続箇所を備える制御ユニットと、（ｉｉ）制御ユニットの第１の接続箇所および第２の接続箇所に接続された第１のコネクタと、（ｉｉｉ）第１のコネクタに接続された第１の流体保持源と、を提供することと、（ｂ）制御ユニットおよび第１の流体保持源から第１のコネクタをいずれかの順序で切り離すことと、（ｃ）第２のコネクタを第２の流体保持源、制御ユニットの第１の接続箇所および第２の接続箇所に接続することであって、第２のコネクタが、第２の流体保持源および制御ユニットにいずれかの順序で接続される、接続することと、を含み、第１のコネクタおよび第２のコネクタが各々、空気経路によって接続された空気出口継手および空気入口継手と、センサ経路によって接続されたセンサ出口継手およびセンサ入口継手とを備え、制御ユニットの第１の接続箇所が、ステップ（ａ）で第１のコネクタの空気出口継手に、かつステップ（ｃ）で第２のコネクタの空気出口継手に接続され、制御ユニットの第２の接続箇所が、ステップ（ａ）で第１のコネクタのセンサ出口継手に、かつステップ（ｃ）で第２のコネクタのセンサ出口継手に接続され、第１の流体保持源が、ステップ（ａ）で第１のコネクタの空気入口継手に接続され、第２の流体保持源が、ステップ（ｃ）で第２のコネクタの空気入口継手に接続される、方法が、本明細書に提供される。いくつかの実施形態では、第１の流体保持源は、第１のキャニスタであり、第２の流体保持源は、第２のキャニスタである。場合によっては、第１のコネクタおよび第２のコネクタは各々、流体経路によって接続された流体入口継手および流体出口継手をさらに備え、第１のキャニスタの第１のコネクタへの接続は、第１のコネクタの流体出口継手と空気入口継手との間に流体連通を提供し、第２のキャニスタの第２のコネクタへの接続は、第２のコネクタの流体出口継手と空気入口継手との間に流体連通を提供する。場合によっては、第１のコネクタの流体入口継手は、移行被覆材に接続される。場合によっては、第１のコネクタの流体入口継手は、流体保持被覆材に接続される。場合によっては、第１の流体保持源は、第１の吸収性被覆材であり、第２の流体保持源は、第２の吸収性被覆材である。場合によっては、第１のコネクタの空気入口継手は、第１の空気供給管によって第１の吸収性被覆材に接続され、第２のコネクタの空気入口継手は、第２の空気供給管によって第２の吸収性被覆材に接続される。
【００１８】
いくつかの実施形態では、第１の流体保持源は、キャニスタであり、第２の流体保持源は、吸収性被覆材である。場合によっては、第１のコネクタは、流体経路によって接続された流体入口継手および流体出口継手をさらに備え、キャニスタの第１のコネクタへの接続は、第１のコネクタの流体出口継手と空気入口継手との間に流体連通を提供する。場合によっては、第１のコネクタの流体入口継手は、流体供給管によって移行被覆材に接続される。場合によっては、第１のコネクタの流体入口継手は、流体供給管によって流体保持被覆材に接続される。場合によっては、第２のコネクタの空気入口継手は、空気供給管によって吸収性被覆材に接続される。
【００１９】
いくつかの実施形態では、第１の流体保持源は、吸収性被覆材であり、第２の流体保持源は、キャニスタである。場合によっては、第２のコネクタは、流体経路によって接続された流体入口継手および流体出口継手をさらに備え、キャニスタの第２のコネクタへの接続は、第１のコネクタの流体出口継手と空気入口継手との間に流体連通を提供する。場合によっては、第２のコネクタの流体入口継手は、流体供給管によって移行被覆材に接続される。場合によっては、第２のコネクタの流体入口継手は、流体供給管によって流体保持被覆材に接続される。場合によっては、第１のコネクタの空気入口継手は、空気供給管によって吸収性被覆材に接続される。
【００２０】
いくつかの実施形態では、第１のコネクタ、第２のコネクタ、または第１のコネクタと第２のコネクタの両方は、流体経路によって接続された流体入口継手および流体出口継手をさらに備える。いくつかの実施形態では、第１のコネクタは、第１の接続デバイスに収容され、第２のコネクタは、第２の接続デバイスに収容され、第１の接続デバイスおよび第２の接続デバイスは各々、電源をさらに備える。場合によっては、第１のコネクタおよび第２のコネクタが制御ユニットに接続されているとき、電源は、陰圧源に電力を供給する。場合によっては、第１のコネクタの空気出口および第２のコネクタの空気出口は各々、制御ユニットに電力を提供するための電気接点を備える。場合によっては、方法は、第１の接続デバイスから電源を取り外すことと、電源をリサイクルすることとをさらに含む。液体が第１のコネクタ内に位置するいくつかの実施形態では、第１のコネクタが第１の流体保持源から切り離されるとき、液体は、第１のコネクタ内に保持される。
【図面の簡単な説明】
【００２１】
【図１】移行被覆材９に取り付けられた接続デバイス４、キャニスタ６、および制御ユニット８を備えるＮＰＷＴシステムのある実施形態を示す。
【図２】吸収性被覆材３に取り付けられた接続デバイス１０および制御ユニット８を備えるＮＰＷＴシステムのある実施形態を示す。
【図３】ＮＰＷＴシステムの制御ユニット３２０に接合された接続デバイス３１０を示し、接続デバイスのコネクタ３３０は、キャニスタおよび移行被覆材にさらに接合するように構成されている。
【図４】図３のコネクタ３３０の詳細図を示す。
【図５】図３および図４のコネクタ３３０と係合するように構成されているポートを備えるキャニスタヘッダの上面図を示す。
【図６】ＮＰＷＴシステムの制御ユニット６２０に接合された接続デバイス６１０を示し、接続デバイスのコネクタ６３０は、吸収性被覆材にさらに接合するように構成されている。
【図７】図６のコネクタ６３０の詳細図を示す。
【図８】制御ユニット８０１と、制御ユニット８０１と接合するように構成されているコネクタ８０６を備える接続デバイス８０２とを示す。
【図９Ａ】キャニスタへの接続を含む、接続デバイスの例示的実施形態のための流体接続の概要を示す。
【図９Ｂ】図９Ａに示す例示的実施形態の流体接続のより詳細な図を示す。
【図１０】本明細書に記載のコネクタのある実施形態に接続するように構成されているポートを備えるキャニスタの例示的実施形態を示す。
【図１１】制御ユニットおよびその電気的接続の例示的実施形態の下面を示す。
【図１２】吸収被覆材とともに使用するための接続デバイスおよびその電気的接続の例示的実施形態を示す。
【図１３】移行被覆材およびキャニスタとともに使用するための接続デバイスの、その電気的接続を含む例示的実施形態を示す。
【図１４】移行被覆材とともに使用するための接続デバイスおよびその流体接続の例示的実施形態の断面図を示す。
【図１５】吸収被覆材およびキャニスタとともに使用するための接続デバイスおよびその流体接続の例示的実施形態の断面図を示す。
【発明を実施するための形態】
【００２２】
本開示の一態様では、創傷が高度に滲出し、かつより高い滲出液容量が必要とされる場合に滲出液を収集するためのキャニスタと、滲出液を吸収して患者の運動性を高める吸収被覆材との両方と動作するように構成されているデバイスが本明細書に提供される。いくつかの実施形態では、デバイスは、２つ以上の種類のコネクタに取り付けるように構成されているハウジングを備え、一方の種類のコネクタは、キャニスタおよび第１の被覆材にさらに取り付けるように構成され、他方の種類のコネクタが、第２の被覆材にさらに取り付けるように構成されている。第１の被覆材は、滲出液が主にキャニスタ内に貯蔵されるシステムにおける移行被覆材、ならびにいくらかの流体が被覆材によって保持され得、いくらかの流体がキャニスタによって保持され得る流体保持被覆材および吸収被覆材を含む。第２の被覆材は、一般に、吸収性被覆材等の流体保持被覆材であり、これは別々のキャニスタの使用を必要とせずに創傷から引き込まれた滲出液を保持する。デバイスは、２つの動作モード間の選択がユーザにとって直感的であり、誤って選択され得る複数の接続オプションを回避するように構成されてもよい。いくつかの実施形態では、キャニスタおよび第１の被覆材とともに使用するように構成されているコネクタは、第１の被覆材および／またはキャニスタとともにパッケージ化される。いくつかの実施形態では、吸収被覆材等の第２の被覆材とともに使用するように構成されているコネクタは、第２の被覆材とともにパッケージ化される。いくつかの実施形態では、異なるコネクタは、誤って選択された潜在的な複数の接続オプションを軽減して、適切な被覆材への正確な接続のみを行うことができるように構成されている。
【００２３】
本開示の別の態様では、本明細書に提供されるデバイスは、ポンプ等の陰圧源を備える制御ユニットにデバイスが接続されているとき、電源が制御ユニットに電力を提供するように、電源を任意選択で備える。デバイスおよび／または電源が交換可能である場合、制御ユニットは、一般にポンプの使用可能寿命の間持続する大型の電源を必要としない。代わりに、必要に応じて、複数のより小さい単位の電力が、制御ユニットに供給される。このようにして、制御ユニットは小型に維持され、ＮＰＷＴシステムの携帯性が向上する。
【００２４】
移行創傷被覆材９、キャニスタ６、および制御ユニット８を接続する接続デバイス４を備えるＮＰＷＴシステム１００のある実施形態を図１に示す。接続デバイス４のある実施形態の詳細図は、３２０として示す制御ユニット８のある実施形態に取り付けられた３１０として図３に示す。システム１００を参照すると、制御ユニット８は、移行被覆材９によって覆われた創傷から接続デバイス４を介してキャニスタ６内に滲出液を引き込むためのポンプ７を備える。他の構成では、移行被覆材９は、吸収被覆材等の、いくらかの流体を保持するための容量を有する被覆材と交換可能である。
【００２５】
接続デバイス４は、流体供給管２および感知線１を介して創傷被覆材９に接続される。流体供給管２の第１の端部および感知線１の第１の端部は、デバイスの第１の取り付け部分５０でデバイス４に接続される。流体供給管２の第２の端部および感知線１の第２の端部は、流体供給管２および感知線１を移行創傷被覆材９の出口４０に接続する取り付け領域４１を形成する。
【００２６】
接続デバイス４は、デバイスの第２の取り付け領域５３でキャニスタ６に接続される。接続デバイス４は、流体が経路５６に沿って流体供給管２からキャニスタ６に通過することを可能にする流体経路５４を備える。接続デバイス４は、ポンプ７によって供給される陰圧を介してキャニスタ６と制御ユニット８との間に空気が通過することを可能にする空気経路５５をさらに備える。
【００２７】
接続デバイス４は、デバイスの第３の取り付け領域５２で制御ユニット８に接続される。接続デバイス４は、感知線１と制御ユニット８の圧力センサ５とを接続するためのセンサ経路５１を備える。
【００２８】
接続デバイス４は、コネクタ（図３および図４の３３０で表される実施形態等）を備え、それによって、接続デバイス４は、取り付け領域５０、５２、および５３の各々でシステムの適切な構成要素に接合される。いくつかの実施形態では、コネクタは、取り外し可能である。いくつかの実施形態では、コネクタは、取り外し可能であり、第２のコネクタと交換可能である。第２のコネクタは、図２に示すようなＮＰＷＴシステムを提供するために、吸収被覆材または他の流体保持創傷被覆材に接続するように構成されてもよい。
【００２９】
システム１００を使用してＮＰＷＴを実施するための例示的方法は、被覆材とポンプ７に接続されたキャニスタ６との間の圧力差を使用して、移行創傷被覆材９の下に位置付けられた創傷からキャニスタ６に滲出液を引き込むことを含む。ポンプ７は、コネクタ４の空気経路５５を介してキャニスタ６から空気を引き込む。滲出液は、接続デバイス４の流体経路５４を通ってキャニスタ６内に引き込まれる。
【００３０】
流体保持被覆材３および制御ユニット８に接続された接続デバイス１０を備えるＮＰＷＴシステム２００のある実施形態を図２に示す。接続デバイス１０のある実施形態の詳細図は、６２０として示す制御ユニット８のある実施形態に取り付けられた６１０として図６に示す。システム２００を参照すると、制御ユニット８は、創傷からの浸出液を、接続デバイス４を介して流体保持被覆材３内に引き込むためのポンプ７を備える。
【００３１】
接続デバイス１０は、空気供給管２３および感知線１を介して流体保持被覆材３に接続される。空気供給管２３の第１の端部および感知線１の第１の端部は、デバイスの第１の取り付け部分６０で接続デバイス１０に接続される。空気供給管２３の第２の端部および感知線１の第２の端部は、空気供給管２３および感知線１を流体保持被覆材３の出口６２に接続する取り付け領域６１を形成する。
【００３２】
接続デバイス１０は、デバイスの第２の取り付け領域６３で制御ユニット８にさらに接続される。接続デバイス１０は、空気が空気供給管２３と制御ユニット８のポンプ７との間に通過することを可能にするための空気経路６４を備える。接続デバイス１０は、感知線１と制御ユニット８の圧力センサ５とを接続するためのセンサ経路６５をさらに備える。
【００３３】
接続デバイス１０は、コネクタ（図６および図７の６３０によって表される実施形態等）とともに構成され、それによって、接続デバイス１０は、取り付け領域６０および６３の各々でシステムの適切な構成要素に接合される。いくつかの実施形態では、コネクタは、取り外し可能である。いくつかの実施形態では、コネクタは、取り外し可能であり、第２のコネクタと交換可能である。第２のコネクタは、図１に示すように構成されているＮＰＷＴシステムを提供するためにキャニスタに接続するように構成されてもよい。
【００３４】
システム２００を使用してＮＰＷＴを実施するための例示的方法は、ポンプ７から、吸収性被覆材３の下の創傷環境から空気供給管２３および接続デバイス１０の空気経路６４を通して、空気を引き込むことを含む。ポンプ７がこの陰圧を創傷環境に印加すると、創傷からの滲出液は、吸収性被覆材３に引き込まれる。センサ５は、接続デバイス１０のセンサ経路を介してセンサ５に接続される感知線１を介して創傷の圧力状態を感知する。
【００３５】
図１〜２のシステムは例示目的のみのためであり、本明細書に提供される接続デバイスを備えるＮＰＷＴシステムが追加の構成要素を備えてもよく、および／または示された１つ以上の構成要素が欠けていてもよいことが意図される。例えば、制御ユニット８内の１つ以上のセンサは、記載のようにシステムが機能する必要がなくてもよい。さらなる例として、接続デバイス４および／または接続デバイス１０は、センサ経路を備えなくてもよい。さらに別の例として、接続デバイス４および／または接続デバイス１０は、電池等の電源を備えてもよい。
【００３６】
いくつかの実施形態では、移行被覆材は、キャニスタとともにＮＰＷＴで使用される被覆材であり、キャニスタは、移行被覆材で覆われた創傷から引き込まれた滲出液の全部ではなくても大部分を貯蔵する。場合によっては、移行被覆材は、吸収特性をさらに含み、および／またはＮＰＷＴ中に滲出液の少なくとも一部分を保持するように構成されている。場合によっては、キャニスタおよび吸収被覆材、または他の流体保持被覆材は、本明細書に提供されるコネクタおよび／または接続デバイスを介して接続される。いくつかのこのような事例では、流体保持被覆材およびキャニスタは、流体保持被覆材で覆われた創傷から引き込まれた滲出液の一部分を各々保持するように構成されている。したがって、吸収性被覆材等の流体保持被覆材は、キャニスタを有するまたはキャニスタのないシステムにおいて、いくらかの量の流体を保持するためにＮＰＷＴにおいて使用される被覆材を指す。場合によっては、流体保持被覆材または吸収性被覆材は、吸収材料を欠いているが、それでもなおＮＰＷＴ中に創傷からの滲出液を保持するように構成されている。本明細書で使用されているように、流体保持源は、吸収被覆材等の流体保持被覆材、および／またはキャニスタを指すことができる。
【００３７】
本明細書に記載の接続デバイス、コネクタ、およびシステムは、本出願と同時に出願された整理番号ＣＶ０６４２を有する対応する仮出願に記載の流体収集装置を含む、当該技術分野で利用可能な任意のキャニスタとともに使用できる。
【００３８】
接続デバイスおよびコネクタ
本開示の一態様では、ハウジングおよびコネクタを備える接続デバイスが本明細書に提供され、コネクタは、ＮＰＷＴ中にキャニスタおよび／または吸収性創傷被覆材等の流体保持源に接続するように構成され得る。いくつかの実施形態では、異なる構成を有する２つ以上のコネクタが、制御ユニットの同じ汎用領域に接続するように構成されている１つの汎用部分を備える。非限定的な例として、制御ユニットは、陰圧源を収容する。場合によっては、コネクタの汎用領域は、空気出口継手および任意選択でセンサ出口継手を備える。場合によっては、制御ユニットは、コネクタの汎用領域と嵌合するように構成されている領域を備え、制御ユニットは、空気出口継手と接続するように構成されている第１の接続箇所とセンサ出口継手と接続するように構成されている任意選択の第２の接続箇所とを備える。いくつかの実施形態では、コネクタの汎用領域は、空気出口継手およびセンサ出口継手を備え、継手は、約４ｍｍ〜約８０ｍｍ離間している。コネクタは、デバイスの嵌合面の幅の両端に載置されるか、またはそのサイズが許す限り互いに近接して載置されることができるため、場合によっては、デバイスおよびコネクタの寸法を考慮して、より幅広く離すか、または互いにより近接して載置してもよい。場合によっては、コネクタは、一方の接続が他方の接続内に位置して便宜的な形態を提供するように互いに同心になるように配置することができる。
【００３９】
本開示の別の態様では、２つ以上の異なるコネクタに取り付けるように構成されているデバイスが本明細書に提供される。非限定的な例として、デバイスは、第１のコネクタまたは第２のコネクタと接続するように構成されている第１の接続箇所を備え、第１のコネクタは、デバイスを第１の種類の流体保持源に取り付けるように構成され、第２のコネクタは、デバイスを第２の種類の流体保持源に取り付けるように構成されている。場合によっては、第１の種類の流体保持源は、キャニスタであり、第２の種類の流体保持源は、被覆材であり、またはその逆である。デバイスは、第１のコネクタのセンサ継手および第２のコネクタのセンサ継手と接続するように構成されている第２の接続箇所をさらに備えてもよく、第１のコネクタおよび第２のコネクタは、感知線と連通するようにさらに構成されている。非限定的な例として、デバイスは、本明細書の他の箇所に記載されているように制御ユニットおよび／または接続デバイスを備える。
【００４０】
いくつかの実施形態では、コネクタの空気出口継手と接続するように構成されている第１の接続箇所と、コネクタのセンサ出口継手と接続するように構成されている第２の接続箇所とを備えるデバイスと、コネクタとが本明細書に提供される。いくつかの実施形態では、コネクタは、空気入口継手と、空気出口継手と空気入口継手とを接続する空気経路と、センサ入口継手と、センサ出口継手とセンサ入口継手とを接続するセンサ経路とをさらに備える。デバイスコネクタは、第１のコネクタ、ならびに流体経路によって接続された流体入口継手および流体出口継手をさらに備える第２のコネクタから選択され、第１のコネクタおよび第２のコネクタは、デバイスの第１の接続箇所および第２の接続箇所に交換可能に接続する。
【００４１】
いくつかの実施形態では、空気出口継手または第１の接続箇所は、空気出口継手と第１の接続箇所との間に密閉接続を提供するように構成されている密閉部材を備える。いくつかの実施形態では、センサ出口継手または第２の接続箇所は、センサ出口継手と第２の接続箇所との間に密閉接続を提供するように構成されている密閉部材を備える。密閉部材の非限定的な例は、Ｏリングである。
【００４２】
いくつかの実施形態では、第１のコネクタの空気入口継手は、第１の流体保持源と接続するように構成されている。非限定的な例として、第１の流体保持源は、創傷と接触している吸収性材料と組み合わせて、創傷を周囲空気から大部分密閉する、典型的にはシリコーン、アクリル、またはポリウレタン接着剤を含む上側接着剤層を備える吸収性創傷被覆材である。上側接着剤層には、ポンプへの空気の通過を可能にし、かつ創傷内の圧力の測定を可能にする空気経路が取り付けられている。場合によっては、第１のコネクタの空気入口継手は、空気供給管を介して第１の流体保持源に接続する。場合によっては、第１のコネクタのセンサ入口継手は、第１の流体保持源と接続するように構成されている。場合によっては、第１のコネクタのセンサ入口継手は、感知線を介して第１の流体保持源に接続する。
【００４３】
いくつかの実施形態では、第２のコネクタの流体出口継手は、第２の流体保持源の流体受容継手と接続するように構成されている。非限定的な例として、第２の流体保持源は、キャニスタである。場合によっては、第２のコネクタの流体出口継手または第２の流体保持源の流体受容継手は、第２のコネクタと第２の流体保持源との間に密閉接続を提供するように構成されている密閉部材を備える。場合によっては、第２のコネクタの流体入口継手は、移行被覆材と接続するように構成されている。場合によっては、第２のコネクタの流体入口継手は、流体保持被覆材と接続するように構成されている。例えば、第２のコネクタと移行被覆材または流体保持被覆材との間の接続は、流体供給管によるものである。非限定的な例として、移行被覆材は、創傷と接触しているポリウレタンフォーム等の創傷充填材料と組み合わせて、創傷を周囲空気から大部分密閉する、典型的にはシリコーン、アクリル、またはポリウレタン接着剤を含む上側接着剤層を備える。上側接着剤層には、空気の通過およびポンプへの浸出を可能にし、かつ創傷内の圧力の測定を可能にする流体経路が取り付けられている。場合によっては、第２のコネクタの空気入口継手は、第２の流体保持源の空気放出継手と接続するように構成されている。場合によっては、第２のコネクタの空気入口継手または第２の流体保持源の空気放出継手は、第２のコネクタと第２の流体保持源との間に密閉接続を提供するように構成されている密閉部材を備える。密閉部材は、Ｏリングを含む。いくつかの実施形態では、第２のコネクタのセンサ入口継手は、第２の流体保持源と接続するように構成されている。場合によっては、第２のコネクタのセンサ入口継手は、感知線を介して第２の流体保持源に接続する。いくつかの実施形態では、第２のコネクタの流体出口継手が第２の流体保持源に接続されていないとき、第２のコネクタの流体経路は、液体を保持するように構成されている。第２のコネクタが被覆材から取り外されると、システム内の陰圧が、コネクタの開口端から流体を引き込む。同様に、コネクタがキャニスタから切り離される場合、システム内の陰圧が、開放端から液体を引き込む。場合によっては、キャニスタ内の逆止弁、流体バッフル、または吸収性材料によって、その後の流出が防止される。
【００４４】
陰圧閉鎖療法中に使用する圧力に耐えることができる継手は、本明細書に記載のコネクタおよびデバイスでの使用に適切である。いくつかの実施形態では、空気出口継手、センサ出口継手、センサ入口継手、第１コネクタの空気入口継手、第２コネクタの空気入口継手、第２コネクタの流体入口継手、第２コネクタの流体出口継手、またはこれらの任意の組み合わせは、構成要素に成形された嵌合雄型および雌型コネクタを備えるラジアルシール、別々の構成要素としてのまたは主要構成要素の一部として成形されたコンプライアント密閉要素を含む嵌合面シールを使用するがこれらに限定されない、押し込み式継手である。いくつかの実施形態では、第１の接続箇所は、継手を含む。いくつかの実施形態では、第２の接続箇所は、継手を含む。いくつかの実施形態では、第１および／または第２の接続箇所は、構成要素に成形された嵌合雄型および雌型コネクタを備えるラジアルシール、別々の構成要素としてのまたは主要構成要素の一部として成形されたコンプライアント密閉要素を含む嵌合面シールを有する。本明細書に記載のデバイスおよびコネクタの各継手は、雌型または雄型であってもよい。場合によっては、空気出口継手は、雄型継手である。場合によっては、センサ出口継手は、雄型継手である。場合によっては、センサ入口継手は、雄型継手である。場合によっては、第１のコネクタの空気入口継手は、雄型継手である。場合によっては、第２のコネクタの空気入口継手は、雌型継手である。場合によっては、第２のコネクタの流体出口継手は、雌型継手である。場合によっては、第２のコネクタの流体入口継手は、雄型継手である。場合によっては、第１の接続箇所は、雌型継手を含む。場合によっては、第２の接続箇所は、雌型継手を含む。
【００４５】
いくつかの実施形態では、第１のコネクタ、第２のコネクタ、または第１のコネクタおよび第２のコネクタの両方は、ＡＢＳ（アクリロニトリル−ブタジエン−スチレン）、ＰＣ（ポリカーボネート）、ＰＣ−ＡＢＳ、ＰＰ（ポリプロピレン）、ＨＤＰＥ（高密度ポリエチレン）等の射出成形可能なプラスチックからなり、シール構成要素は、ニトリルまたはＴＰＥ（熱可塑性エラストマー）材料等のエラストマー材料からなる。いくつかの実施形態では、第１のコネクタおよび第２のコネクタの長さは、約０．５ｃｍ〜約４ｃｍ、約０．５ｃｍ〜約２ｃｍ、例えば、約１ｃｍである。いくつかの実施形態では、空気入口と空気出口との間の空気経路の長さは、約０．５ｃｍ〜約２ｃｍである。いくつかの実施形態では、センサ入口とセンサ出口との間のセンサ経路の長さは、約０．５ｃｍ〜約２ｃｍである。いくつかの実施形態では、空気経路の直径は、約０．５ｍｍ〜約５ｍｍ、約０．５ｍｍ〜約３ｍｍ、約１ｍｍ〜約３ｍｍ、または約２ｍｍである。いくつかの実施形態では、センサ経路の直径は、約０．５ｍｍ〜約５ｍｍ、約０．５ｍｍ〜約３ｍｍ、約１ｍｍ〜約３ｍｍ、または約２ｍｍである。
【００４６】
いくつかの実施形態では、第１の接続箇所および第２の接続箇所は、デバイスの第１の側面上に位置付けられている。場合によっては、第１の接続箇所の中心と第２の接続箇所の中心との間の最短距離は、約１ｍｍ〜約２０ｍｍ、約１ｍｍ〜約１０ｍｍ、または約１ｍｍ、２ｍｍ、５ｍｍ、もしくは７ｍｍである。
【００４７】
いくつかの実施形態では、デバイスは、第１のコネクタまたは第２のコネクタによって接続された第１の区画および第２の区画を備える。場合によっては、第１の区画は、第１の接続箇所および第２の接続箇所を備え、第１の接続箇所は、陰圧源に接続される。非限定的な例では、第１の区画は、陰圧源を備える制御ユニットである。陰圧源の例は、回転ＤＣブラシ付モータによって駆動されるダイヤフラムポンプである。代替として、ブラシレスＤＣモータを使用してダイヤフラムポンプを駆動するか、またはボイスコイルアクチュエータ等のリニアアクチュエータがダイヤフラムを直接駆動する。いくつかの実施形態では、第２の接続箇所は、圧力センサと流体連通するように構成されている。場合によっては、第１の区画は、Ｏｍｒｏｎ製の小型（例えば、１ｃｍ３サイズ未満）圧力センサ、部品番号ＳＭＰＰ０３、範囲±５０ｋＰａ、Ｈｏｎｅｙｗｅｌｌ、部品番号ＡＢＰ  Ｌ  ＬＮ  Ｎ２５０ＭＤ  ＡＡ３範囲±２５０ｍｂａｒ、およびＮＸＰ製の、部品番号ＭＰＸＶ７０２５ＤＰ、範囲−２５ｋＰａ〜２５ｋＰａ等の圧力センサを備える。いくつかの実施形態では、第２の区画は、電源を備える。デバイスが第１のコネクタを備えるいくつかの場合では、電源は、約２４時間〜約３０日間、陰圧源に電力を供給するように構成されている。典型的には、ＣＲ１２３ａリチウムマンガン一次電池は、創傷の滲出速度および適用された被覆材の空気漏れ速度等のいくつかの要因に応じて、４〜８日間のＮＰＷＴ療法に十分なエネルギーを提供する。デバイスが第２のコネクタを備えるいくつかの場合では、電源は、約２４時間〜約６０日間、陰圧源に電力を供給するように構成されている。同様に、ＣＲ１２３ａリチウムマンガン一次電池は、創傷の滲出速度および適用された被覆材の空気漏れ速度等のいくつかの要因に応じて、４〜８日間のＮＰＷＴ療法に十分なエネルギーを提供する。電源の非限定的な例は、電池である。第１または第２のコネクタのいずれかに接続されたデバイス用の電源の別の非限定的な例は、充電式電池である。充電式電池は、使用中に拘束されるという不都合を患者に与えずに、デバイスへの電力を維持するのに有用である。いくつかの実施形態では、電源は、第２の区画から取り外し可能である。いくつかの実施形態では、電源は交換可能である。第１の区画は、１つ以上の追加の特徴、例えば、陰圧源の動作を制御するためのコントローラをさらに備え得る。いくつかの実施形態では、第１の区画、第２の区画、または両方の区画は、陰圧および使用中に予想される機械的負荷に対する耐性を提供するために、０．５ｍｍ〜３ｍｍ、典型的には約１．５ｍｍの厚さのＡＢＳ、ＰＣ、ＨＤＰＥ、ＰＰ、ＰＣ−ＡＢＳ材料からなる。
【００４８】
いくつかの実施形態では、空気出口継手は、電気接点を備える。この電気接点は、空気出口継手が第１の接続箇所に接続されているとき、デバイス内に電気的接続を提供し得る。第１の接続デバイスが陰圧源を収容する制御ユニットの一部であり、かつ空気出口継手が、電源を備える第２の区画の一部であるいくつかの場合には、電源は、第２の区画と制御ユニットとの間の電気接続を通して、陰圧源を動作させるための電力を提供する。
【００４９】
陰圧閉鎖療法で使用するための例示的デバイスを図８に示す。デバイス８００は、制御ユニット８０１および接続デバイス８０２を備える。制御ユニット８０１は、陰圧源（図示せず）と、第１の接続箇所および第２の接続箇所（まとめて８０７）とを備える。接続デバイス８０２は、コネクタ８０６を備え、コネクタ８０６は、空気出口継手８０５およびセンサ出口継手８０８を備え、これらは接続デバイス８０２を制御ユニット８０１と接続するための取り付け点を形成する。空気出口継手に位置するのは、電気接点８０４である。接続デバイス８０２および制御ユニット８０１が空気出口継手８０５と第１の接続箇所との間の嵌合、およびセンサ出口継手８０８と第２の接続箇所との間の嵌合によって接続されると、接続デバイス８０２内に位置付けられた電源が電力を提供して、制御ユニット８０１内の陰圧源を動作させる。制御ユニット８０１は、制御回路、圧力センサ、および照明、スイッチ、および他の表示要素等のユーザインターフェースを備える要素のうちの１つ以上を任意選択でさらに備える。このデバイスを陰圧閉鎖療法中に使用するとき、接続デバイス８０２は、患者の被覆材の交換の自然な一部として交換されてもよい。追加で、または代替として、接続デバイス８０２は、陰圧源および／または制御ユニットの１つ以上の機能を動作させるために追加の電力が必要なときに交換される。
【００５０】
第２の例示的デバイスを、図９Ａおよび図９Ｂの断面図で示す。デバイス９００は、制御ユニット９０１および接続デバイス９０２を備える。制御ユニット９０１は、陰圧源９１０（明確にするために接続箇所９０７への管接続なしに示す）と、第１の接続箇所および第２の接続箇所（まとめて９０７）とを備える。接続デバイス９０２は、コネクタ９０６を備え、コネクタ９０６は、空気出口継手９０５およびセンサ出口継手９０８を備え、これらは接続デバイス９０２を制御ユニット９０１と接続するための取り付け点を形成する。
【００５１】
接続デバイス９０２は、いくつかの電気接点を有する。接点の例示的実施形態は、それぞれ１２０４および１３０４として図１２および１３の接続デバイスに示される。接続デバイス９０２および制御ユニット９０１が空気出口継手９０５と第１の接続箇所との間の嵌合、およびセンサ出口継手９０８と第２の接続箇所との間の嵌合を通して接続されると、接続デバイス９０２内に位置付けられた電源が電力を提供して、制御ユニット９０１内の陰圧源を動作させる。制御ユニット９０１は、制御回路、圧力センサ、および照明、スイッチ、および他の表示要素等のユーザインターフェースを備える要素のうちの１つ以上を任意選択でさらに備える。このデバイスを陰圧閉鎖療法中に使用するとき、接続デバイス９０２は、患者の被覆材の交換の自然な一部として交換されてもよい。追加で、または代替として、接続デバイス９０２は、陰圧源および／または制御ユニットの１つ以上の機能を動作させるために追加の電力が必要なときに交換される。
【００５２】
キャニスタコネクタ
本開示の別の態様では、キャニスタとともにＮＰＷＴで使用するためのコネクタが本明細書に提供され、コネクタは、流体経路によって流体出口継手に接続された流体入口継手と、空気経路によって空気出口継手に接続された空気入口継手とを備え、流体出口継手は、流体出口継手および空気入口継手をキャニスタに接合すると、空気入口継手と流体連通するように構成されている。いくつかの実施形態では、流体出口継手は、キャニスタの流体受容継手と接続するように構成されている。場合によっては、コネクタの流体出口継手またはキャニスタの流体受容継手は、コネクタとキャニスタとの間に密閉接続を提供するように構成されている密閉部材を備える。いくつかの実施形態では、空気入口継手は、キャニスタの空気放出継手と接続するように構成されている。場合によっては、コネクタの空気入口継手またはキャニスタの流体受容継手は、コネクタとキャニスタとの間に密閉接続を提供するように構成されている密閉部材を備える。いくつかの実施形態では、流体入口継手は、例えば流体供給管を介して移行被覆材と接続するように構成されている。いくつかの実施形態では、流体入口継手は、例えば流体供給管を介して流体保持被覆材と接続するように構成されている。いくつかの実施形態では、空気出口継手を陰圧源の接続箇所へ接続すると、空気出口継手は、陰圧源と流体連通するように構成されている。場合によっては、コネクタの空気出口部分または陰圧源の接続箇所は、コネクタと陰圧源との間に密閉接続を提供するように構成されている密閉部材を備える。密閉部材の非限定的な例は、Ｏリングまたはコンプライアント材料のガスケット等の他の密閉部材またはＴＰＥ表面等の成形シールである。陰圧源の非限定的な例は、回転ＤＣブラシ付モータによって駆動されるダイヤフラムポンプである。代替として、ブラシレスＤＣモータを使用してダイヤフラムポンプを駆動するか、またはボイスコイルアクチュエータ等のリニアアクチュエータがダイヤフラムを直接駆動する。いくつかの実施形態では、コネクタは、センサ経路によってセンサ出口継手に接続されたセンサ入口継手をさらに備える。
【００５３】
いくつかの実施形態では、流体入口継手、流体出口継手、空気入口継手、空気出口継手、またはそれらの組み合わせは、本明細書に記載の押し込み式継手である。場合によっては、流体入口継手は、雄型継手である。場合によっては、流体出口継手は、雌型継手である。場合によっては、空気入口継手は、雌型継手である。場合によっては、空気出口継手は、雄型継手である。
【００５４】
いくつかの実施形態では、流体入口継手および流体出口経路を接続する流体経路は、流体出口継手および空気入口継手がキャニスタに接合されていないとき、液体を保持するように構成されている。
【００５５】
いくつかの実施形態では、コネクタは、例えば、ＡＢＳ、ＰＣ、ＰＣ−ＡＢＳ、ＨＤＰＥ、および／またはＰＰを、ニトリル、シリコーン、および／またはＴＰＥ等のエラストマー要素と組み合わせて備える、プラスチック成形可能構成要素からなる。いくつかの実施形態では、コネクタの長さは、約４〜約２０ｍｍであり、構成要素に成形された嵌合雄型コネクタおよび雌型コネクタを備えるラジアルシール、別々の構成要素としてのまたは主要構成要素の一部として成形されたコンプライアント密閉要素を含む嵌合面シールを使用するがこれらに限定されない。いくつかの実施形態では、コネクタの幅は、約５ｍｍ〜約３０ｍｍ、約１０ｍｍ〜約２０ｍｍ、または約１０ｍｍ、１２ｍｍ、１５ｍｍ、１７ｍｍ、または２０ｍｍである。いくつかの実施形態では、空気経路の長さは、約０．５ｃｍ〜約２ｃｍである。いくつかの実施形態では、流体経路の長さは、約０．５ｃｍ〜約２ｃｍである。いくつかの実施形態では、空気経路の直径は、約０．５ｍｍ〜約５ｍｍ、または約１．５ｍｍである。いくつかの実施形態では、流体経路の直径は、約１ｍｍ〜約６ｍｍ、または約２ｍｍである。
【００５６】
いくつかの実施形態では、空気出口継手は、電気接点を備える。電気接点は電源に接続されてもよく、電源およびコネクタは接続デバイスの一部であり、接続デバイスは電源をさらに備える。他の実施形態では、電気接点は、接続デバイスの本体に組み込まれている。図１２および図１３は、これらの接点をそれぞれ１２０４および１３０４として示し、図１１の１１０５として示す制御ユニットの本体に組み込まれた接点を介して制御ユニットに電気的に接触するように配置されている。場合によっては、電源は、約２４時間〜約６０日間、陰圧源に電力を供給するように構成されている。電源の非限定的な例は、電池である。いくつかの実施形態では、電源は、第２の区画から取り外し可能である。場合によっては、電源は交換可能である。
【００５７】
本明細書に記載のキャニスタとともに使用するためのコネクタと、キャニスタとを備えるデバイスおよびシステムが本明細書にさらに提供される。いくつかの実施形態では、コネクタおよび陰圧源を備えるデバイスおよびシステムが本明細書に提供される。いくつかの実施形態では、コネクタおよび移行被覆材を備えるデバイスおよびシステムが本明細書に提供される。いくつかの実施形態では、コネクタおよび流体保持被覆材を備えるデバイスおよびシステムが本明細書に提供される。
【００５８】
ある特定の実施形態では、キャニスタとともにＮＰＷＴで使用するためのコネクタは、流体経路によって流体出口継手に接続された流体入口継手と、空気経路によって空気出口継手に接続された空気入口継手とを備え、各継手がキャニスタに接続されているとき、流体出口継手および空気入口継手は流体連通し、流体入口継手は、移行被覆材または流体保持被覆材と連通するように構成され、空気出口継手は、陰圧源と連通し、陰圧源は、陰圧源、コネクタ、キャニスタ、および移行被覆材または流体保持被覆材が接続されているとき、移行被覆材または流体保持被覆材の箇所に陰圧を供給する。この構成では、流体は、移行被覆材または流体保持被覆材で覆われた創傷部位から引き込まれ、流体入口を介してコネクタ内へ、流体出口を通ってキャニスタ内へ通過し、そこで液体が保持される。次いで、空気がキャニスタから空気入口を通過し、コネクタの空気出口から接続された陰圧源へと通過する。いくつかの実施形態では、陰圧源は、ダイヤフラムポンプである。多くの実施形態では、コネクタおよびそれに接続されたデバイスは、デバイスが、動ける患者および／または臨床環境または大型設備を必要としない患者による使用を容易にするように小さな設置面積を有する。非限定的な例として、キャニスタとともに使用するためのコネクタは、約０．５ｃｍ〜約２ｃｍ、または約１ｃｍの長さ、および約１ｃｍ〜約２ｃｍの幅を有する。同様に、流体経路の長さは、約０．５ｃｍ〜約２ｃｍであり、直径は、約０．５ｍｍ〜約２ｍｍである。ある特定の実施形態では、キャニスタとともに使用するためのコネクタは、デバイスを陰圧源に接続すると電源が陰圧源に電力を供給するように、電池等の電源を収容するデバイスの一部である。
【００５９】
キャニスタとともに使用するためのコネクタを備えるデバイスの非限定的な例を図３に示す。デバイス３００は、コネクタ３３０（ハッシュマークによって表される）によって接続デバイス３１０に接続された制御ユニット３２０を備える。接続デバイス３１０は、ハウジング１０およびコネクタ３３０を備える。制御ユニット３２０は、第１の接続ポートおよび第２の接続ポートを備えるハウジング２６を備え、各ポートは、コネクタ３３０の継手に接続するように構成されている。コネクタ３３０は、制御ユニット３２０の第１の接続ポートと接続するように構成されている空気出口継手１５と、制御ユニット３２０の第２の接続ポートと接続するように構成されているセンサ出口継手１６とを備える。空気出口継手１５は、コネクタ３３０内の空気経路１１によって空気入口継手３０に接続される。空気入口継手３０は、３０および３２をキャニスタへ接続すると流体出口継手３２と連通するように構成されている。流体出口継手３２は、流体経路３３によって流体入口継手１２と接続される。空気入口継手３０および流体出口継手３２は各々、キャニスタとの密閉接続を提供するためにシール１４を備える。センサ出口継手１６は、コネクタ３３０内のセンサ経路３１によってセンサ入口継手１３に接続される。流体入口継手１２、流体出口継手３２、空気入口継手３０、空気出口継手１５、センサ入口継手１３、およびセンサ出口継手１６を示すコネクタ３３０の拡大図を図４に提供する。
【００６０】
いくつかの構成では、デバイス３００は、概して図１に示すように陰圧閉鎖療法システム内に構成されている。この場合、図３の制御ユニット３２０は、図１の制御ユニット８に対応する。コネクタ３３０は、空気出口継手１５とセンサ出口継手１６との間の接続によって制御ユニット８に接続され、空気出口継手１５はポンプ７と連通し、センサ出口継手１６はセンサ５と連通する。空気入口継手３０および流体出口継手３２は、キャニスタ６に接続する。流体入口継手１２は、流体供給管２を介して被覆材９に接続する。センサ入口継手１３は、感知線１を介して被覆材９に接続する。コネクタ３３０等のコネクタに接続されたキャニスタヘッダ２０の例を図５に示す。キャニスタヘッダ２０は、流体受容継手１９および空気放出継手１８を備えるポート１７を備える。流体受容継手１９は、流体出口継手３２と嵌合するように構成され、空気放出継手１８は、空気入口継手３０と嵌合するように構成されている。
【００６１】
キャニスタとともに使用するためのコネクタを備えるデバイスの第２の非限定的な例を図９Ｂに示す。デバイス９００は、コネクタ９０６によって接続デバイス９０２に接続された制御ユニット９０１を備える。制御ユニット９０１は、実質的に同心円状に配置された第１の接続ポートおよび第２の接続ポートを備える接続箇所９０７を備え、各ポートは、コネクタ９０６の継手に接続するように構成されている。コネクタ９０６は、制御ユニットの第１の接続ポート９３６と接続するように構成されている空気出口継手９１５と、制御ユニット９０１の第２の接続ポート９３４と接続するように構成されているセンサ出口継手９１６とを備える。コネクタ９０６の流体出口継手９１３は、キャニスタの流体入口ポート９３２と連通するように構成され、空気入口継手９３０は、キャニスタの空気出口ポート９３５と連通するように構成されている。流体出口継手９１３は、流体経路９３４によって流体入口継手９１２と接続される。流体入口ポート９３２および空気出口ポート９３５は各々、コネクタ９０６との密閉接続を提供するためにシール９１４を備える。センサ出口継手９１６は、コネクタ９０６内のセンサ経路９３８によって第２の接続ポート９３７に接続される。
【００６２】
コネクタ９０６等のコネクタに接続されたキャニスタヘッダ１０２０の例を図１０に示す。キャニスタヘッダ１０２０は、流体受容継手１０１９および空気放出継手１０１８を備えるポート１０１７を備える。流体受容継手１０１９は、流体出口継手９３２と嵌合するように構成され、空気放出継手１０１８は、空気入口継手９３０と嵌合するように構成されている。
【００６３】
保持被覆材コネクタ
本開示の別の態様では、流体保持被覆材とともにキャニスタなしのＮＰＷＴで使用するためのコネクタが本明細書に提供され、コネクタは、空気経路によって空気出口継手気に接続された空気入口継手を備え、空気入口継手は、流体保持被覆材と接続するように構成され、空気出口継手は、陰圧源から印加された陰圧が流体保持被覆材によって受容されるように、陰圧源と接続するように構成されている。いくつかの実施形態では、コネクタは、センサ経路によってセンサ出口継手に接続されたセンサ入口継手をさらに備える。場合によっては、センサ入口継手は、流体保持被覆材と接続するように構成されている。場合によっては、センサ出口継手は、圧力センサと接続するように構成されている。いくつかの実施形態では、圧力センサおよび陰圧源は、制御ユニットに収容されている。
【００６４】
いくつかの実施形態では、空気入口継手または空気出口継手は、押し込み式継手であり、構成要素に成形された嵌合雄型および雌型コネクタを備えるラジアルシール、別々の構成要素としてまたは主要構成要素の一部として成形されたコンプライアント密閉要素を含む嵌合面シールを使用するが、これらに限定されない。場合によっては、空気入口継手は、雄型継手である。場合によっては、空気出口継手は、雄型継手である。
【００６５】
いくつかの実施形態では、空気経路の長さは、約０．５ｃｍ〜約２ｃｍである。いくつかの実施形態では、コネクタの長さは、約４ｍｍ〜約２０ｍｍである。いくつかの実施形態では、コネクタの幅は、約１０ｍｍ〜約８０ｍｍ、約１０ｍｍ〜約４０ｍｍ、または約１０ｍｍ〜約３０ｍｍ、例えば、約１０ｍｍ、１２ｍｍ、１５ｍｍ、１７ｍｍ、または２０ｍｍである。いくつかの実施形態では、空気経路の直径は、約１ｍｍ〜約５ｍｍ、例えば、約２ｍｍである。いくつかの実施形態では、コネクタは、ＡＢＳ、ＰＣ、ＰＣ−ＡＢＳ、ＰＰ、ＨＤＰＥ、または同様の射出成形可能材料を含む。場合によっては、コネクタはＡＢＳからなる。
【００６６】
いくつかの実施形態では、空気出口継手は、電気接点を備える。電気接点は電源に接続されてもよく、電源およびコネクタは接続デバイスの一部であり、接続デバイスは電源をさらに備える。場合によっては、電源は、約２４時間〜約３０日間、陰圧源に電力を供給するように構成されている。電源の非限定的な例は、電池である。いくつかの実施形態では、電源は、第２の区画から取り外し可能である。場合によっては、電源は交換可能である。
【００６７】
本明細書に記載の流体保持被覆材とともに使用するためのコネクタと、流体保持被覆材とを備えるデバイスおよびシステムが、本明細書に提供される。いくつかの実施形態では、流体保持被覆材は、陰圧の印加中に創傷から引き込まれた流体を保持するために、バッキングの内面と創傷との間にエンクロージャを作成するように構成されているバッキングを備える。エンクロージャは、吸収性材料を含んでもよい。場合によっては、流体保持被覆材は、吸収被覆材である。いくつかの実施形態では、コネクタおよび陰圧源を備えるデバイスおよびシステムが本明細書に提供される。
【００６８】
ある特定の実施形態では、流体保持被覆材（または吸収性被覆材）とともにＮＰＷＴで使用するためのコネクタは、空気経路によって空気出口継手に接続された空気入口継手を備え、空気入口継手は、流体保持被覆材と接続するように構成され、空気出口継手は、陰圧源、コネクタ、および被覆材が接続されているときに陰圧源から印加される陰圧が流体保持被覆材によって受容されるように、陰圧源と接続するように構成されている。この構成では、流体は、創傷部位から被覆材内に引き込まれ、そこで流体が保持される。次いで、空気が被覆材から空気入口を通過し、コネクタの空気出口から接続された陰圧源へと通過する。いくつかの実施形態では、陰圧源は、ダイヤフラムポンプである。多くの実施形態では、コネクタおよびそれに接続されたデバイスは、デバイスが、動ける患者および／または臨床環境または大型設備を必要としない患者による使用を容易にするように小さな設置面積を有する。非限定的な例として、流体保持被覆材とともに使用するためのコネクタは、約０．５ｃｍ〜約２ｃｍ、または約１ｃｍの長さ、および約１ｃｍ〜約２ｃｍの幅を有する。同様に、流体経路の長さは、約０．５ｃｍ〜約２ｃｍであり、直径は、約０．５ｍｍ〜約２ｍｍである。ある特定の実施形態では、流体保持被覆材とともに使用するためのコネクタは、デバイスを陰圧源に接続すると電源が陰圧源に電力を供給するように、電池等の電源を収容するデバイスの一部である。
【００６９】
流体保持被覆材とともに使用するためのコネクタを備えるデバイスの非限定的な例を図６に示す。デバイス６００は、コネクタ６３０（ハッシュマークによって表される）によって接続デバイス６１０に接続された制御ユニット６２０を備える。接続デバイス６１０は、ハウジング２７およびコネクタ６３０を備える。制御ユニット６２０は、第１の接続ポートおよび第２の接続ポートを備えるハウジング２６を備え、各ポートは、コネクタ６３０の継手に接続するように構成されている。コネクタ６３０は、制御ユニット６２０の第１の接続ポートと接続するように構成されている空気出口継手１５と、制御ユニット６２０の第２の接続ポートと接続するように構成されているセンサ出口継手１６とを備える。空気出口継手１５は、コネクタ６３０内の空気経路によって空気入口継手２２に接続される。センサ出口継手１６は、コネクタ６３０内のセンサ経路によってセンサ入口継手２１に接続される。空気入口継手２１、空気出口継手１５、センサ入口継手２２、およびセンサ出口継手１６を示すコネクタ６３０の拡大図を図７に提供する。
【００７０】
いくつかの構成では、デバイス６００は、概して図２に示すように陰圧閉鎖療法システム内に構成されている。この場合、図６の制御ユニット６２０は、図２の制御ユニット８に対応する。コネクタ６３０は、空気出口継手１５とセンサ出口継手１６との間の接続によって制御ユニット８に接続され、空気出口継手１５はポンプ７と連通し、センサ出口継手１６はセンサ５と連通する。空気入口継手２１は、空気供給管２３によって被覆材３に接続し、センサ入口継手２２は、感知線１によって被覆材３に接続する。
【００７１】
いくつかの実施形態では、図３の制御ユニット３２０は、図６のコネクタ６３０を受容するように構成されている。いくつかの実施形態では、図６の制御ユニット６２０は、図３のコネクタ３３０を受容するように構成されている。非限定的な例として、図１〜２の制御ユニット８は、実質的に同じである。このシステムでは、患者がキャニスタを含むＮＰＷＴを必要とするとき、コネクタ３３０を備える接続デバイス３１０が制御ユニット８に接続される。同様に、患者が、流体保持被覆材を含み、キャニスタを含まないＮＰＷＴを必要とするとき、コネクタ６３０を備える接続デバイス６１０が制御ユニット８に接続される。同じ制御ユニットおよび陰圧源を含む異なるコネクタの組み合わせによって、ＮＰＷＴ中に適応性が提供される。
【００７２】
図９Ａおよび図９Ｂに概して具現化されるコネクタを図１４に示す。図１４は、センサ出口継手１４０８とともに空気出口継手１４０５を備えるコネクタ１４０６を備える接続デバイス１４００を示す。流体出口継手１４０９は、キャニスタに接続し、空気出口継手１４１０は、図９Ｂの９３２および９３０にそれぞれ対応する。図１４および図１５のコネクタは、ハッシュマークで示される。
【００７３】
図１５は、キャニスタを必要とせずに図９の９０１等の制御ユニットに直接接続するコネクタ１５０６を含む吸収被覆材とともに使用するための対応するコネクタデバイス１５００を示す。空気出口継手１５０５およびセンサ出口継手１５０８は、コネクタ９０７を介して図９の９０１等の制御ユニットに直接接続する。
【００７４】
使用方法
本開示の一態様では、本明細書に記載のコネクタおよび接続デバイスを使用してＮＰＷＴ中に流体保持源を交換するための方法が本明細書に提供される。流体保持源を交換するための例示的方法は、概して、（ａ）制御ユニットおよび第１の流体保持源の両方に接続された第１のコネクタを備えるＮＰＷＴシステムを提供することと、（ｂ）第１のコネクタを制御ユニットおよび第１の流体保持源からいずれかの順序で切り離すことと、（ｃ）第２のコネクタを第２の流体保持源および制御ユニットにいずれかの順序で接続することと、を含む。いくつかの実施形態では、制御ユニットは、陰圧源、陰圧源と流体連通する第１の接続箇所、センサ、およびセンサと流体連通する第２の接続箇所を備える。いくつかの実施形態では、第１のコネクタは、制御ユニットの第１の接続箇所および第２の接続箇所に接続される。いくつかの実施形態では、第１のコネクタおよび第２のコネクタは各々、空気経路によって接続された空気出口継手および空気入口継手と、センサ経路によって接続されたセンサ出口継手およびセンサ入口継手とを備える。いくつかの実施形態では、制御ユニットの第１の接続箇所は、ステップ（ａ）で第１のコネクタの空気出口継手に、かつステップ（ｃ）で第２のコネクタの空気出口継手に接続される。いくつかの実施形態では、制御ユニットの第２の接続箇所は、ステップ（ａ）で第１のコネクタのセンサ出口継手に、かつステップ（ｃ）で第２のコネクタのセンサ出口継手に接続される。いくつかの実施形態では、第１の流体保持源は、ステップ（ａ）で第１のコネクタの空気入口継手に接続され、第２の流体保持源は、ステップ（ｃ）で第２のコネクタの空気入口継手に接続される。いくつかの実施形態では、液体が第１のコネクタ内に位置する場合、第１のコネクタが第１の流体保持源から切り離されると、液体が第１のコネクタ内に保持される。
【００７５】
いくつかの実施形態では、第１の流体保持源は、第１のキャニスタであり、第２の流体保持源は、第２のキャニスタである。場合によっては、第１のコネクタおよび第２のコネクタは各々、流体経路によって接続された流体入口継手および流体出口継手をさらに備え、第１のキャニスタの第１のコネクタへの接続は、第１のコネクタの流体出口継手と空気入口継手との間に流体連通を提供し、第２のキャニスタの第２のコネクタへの接続は、第２のコネクタの流体出口継手と空気入口継手との間に流体連通を提供する。場合によっては、第１のコネクタの流体入口継手は、移行被覆材に接続される。
【００７６】
いくつかの実施形態では、第１の流体保持源は、第１の吸収性被覆材であり、第２の流体保持源は、第２の吸収性被覆材である。場合によっては、第１のコネクタの空気入口継手は、第１の空気供給管によって第１の吸収性被覆材に接続され、第２のコネクタの空気入口継手は、第２の空気供給管によって第２の吸収性被覆材に接続される。
【００７７】
いくつかの実施形態では、第１の流体保持源は、キャニスタであり、第２の流体保持源は、吸収性被覆材である。場合によっては、第１のコネクタは、流体経路によって接続された流体入口継手および流体出口継手をさらに備え、キャニスタの第１のコネクタへの接続は、第１のコネクタの流体出口継手と空気入口継手との間に流体連通を提供する。場合によっては、第１のコネクタの流体入口継手は、流体供給管によって移行被覆材に接続される。場合によっては、第１のコネクタの流体入口継手は、流体供給管によって流体保持被覆材に接続される。場合によっては、第２のコネクタの空気入口継手は、空気供給管によって吸収性被覆材に接続される。
【００７８】
いくつかの実施形態では、第１の流体保持源は、吸収性被覆材であり、第２の流体保持源は、キャニスタである。場合によっては、第２のコネクタは、流体経路によって接続された流体入口継手および流体出口継手をさらに備え、キャニスタの第２のコネクタへの接続は、第１のコネクタの流体出口継手と空気入口継手との間に流体連通を提供する。場合によっては、第２のコネクタの流体入口継手は、流体供給管によって移行被覆材に接続される。場合によっては、第２のコネクタの流体入口継手は、流体供給管によって流体保持被覆材に接続される。場合によっては、第１のコネクタの空気入口継手は、空気供給管によって吸収性被覆材に接続される。
【００７９】
いくつかの実施形態では、第１のコネクタは、第１の接続デバイスに収容され、第２のコネクタは、第２の接続デバイスに収容され、第１の接続デバイスおよび第２の接続デバイスは各々、電源をさらに備える。場合によっては、第１のコネクタおよび第２のコネクタは制御ユニットに接続されているとき、電源が陰圧源に電力を提供する。場合によっては、第１のコネクタの空気出口および第２のコネクタの空気出口は各々、制御ユニットに電力を提供するための電気接点を備える。いくつかの実施形態では、方法は、第１の接続デバイスから電源を取り外すことと、電源をリサイクルすることとをさらに含む。
【００８０】
以下の実施例は、本開示の利点および特徴をさらに説明するために提供されるが、本開示の範囲を限定することを意図しない。実施例は使用され得るもののうちの典型的なものであるが、当業者に既知である他の構成、手順、または技術を代替えとして使用してもよい。
【実施例】
【００８１】
実施例１：接続デバイスおよびＮＰＷＴシステム
ＮＰＷＴシステムとともに使用するための制御ユニットを、吸収被覆材または移行被覆材およびキャニスタのいずれかを使用するシステムにおいて陰圧を供給するように製造した。制御ユニットは、第１のコネクタを介して吸収被覆材と、第２のコネクタを介して移行被覆材およびキャニスタとに接続するように構成されている。制御ユニットは、第１のコネクタおよび第２のコネクタの両方の空気出口継手と接続するように適合された第１の接続箇所を備える。第１の接続箇所は、デバイス内に収容されたダイヤフラムポンプと連通する。制御ユニットの概略図は、図３の３２０または図６の６２０によって表される。
【００８２】
第１コネクタおよび第２コネクタを収容するための接続デバイスを製造した。使用時、第１のコネクタまたは第２のコネクタの空気出口継手は、制御ユニットの第１の接続箇所と嵌合する。各コネクタは、空気経路を介して空気出口継手と連通する空気入口継手をさらに備える。接続デバイスのハウジングの概略図は、図３の３１０または図６の６１０によって表される。
【００８３】
第１のコネクタまたは第２のコネクタを介して接続デバイスと嵌合する制御ユニットは、約１３０〜１５０ｍｍの長さ、約５０〜８０ｍｍの幅、および約１６〜２０ｍｍの高さを有する。
【００８４】
第１のコネクタは、図７に示すコネクタの概略構成を有するが、第１のコネクタが、図７に示すコネクタの全ての特徴を必要とするわけではない。例えば、作製された第１のコネクタによっては、センサ（１６、２２）の継手を備えない。第１のコネクタは、約１５〜３０ｍｍの長さ、約５０〜８０ｍｍの幅、および約１５〜２０ｍｍの高さを有する。
【００８５】
第２のコネクタは、流体経路によって流体出口継手に接続された流体入口継手と、空気経路によって空気出口継手に接続された空気入口継手とをさらに備え、流体出口継手は、流体出口継手および空気入口継手をキャニスタに接合すると、空気入口継手と流体連通する。第２のコネクタは、図４に示すコネクタの概略構成を有するが、第２のコネクタが、図４に示すコネクタの全ての特徴を必要とするわけではない。例えば、第２のコネにクタによっては、センサ（１６、１３）の継手を備えない。第２のコネクタは、約１５〜３０ｍｍの長さ、約５０〜８０ｍｍの幅、および約１５〜２０ｍｍの高さを有する。
【００８６】
実施例２：電源を備える接続デバイス
実施例１の接続デバイスは、電源を備える。電源は、デバイスのコネクタの種類に依存する場合もある。吸収性被覆材とともに使用するための第１のコネクタについて、電源は、移行被覆材およびキャニスタとともに使用するための第２のコネクタよりも少ない電力を必要とするが、より多くの量の滲出液が経時的に収集されてもよい。したがって、接続デバイスは、その使用に応じて調整可能である。さらに、電源は、任意選択で取り外し可能および／または交換可能である。
【００８７】
ＣＲ１２３ａリチウムマンガン一次電池を有する接続デバイスを製造した。これは、ダイヤフラムポンプに約４〜８日間ＮＰＷＴで使用するためのエネルギーを提供する。持続時間は、例えば、創傷の滲出速度および使用する被覆材の空気漏れ速度に依存する。
【００８８】
実施例３：創傷被覆材を交換する方法
患者は、ＮＰＷＴ中にキャニスタを用いて滲出液を収集する必要がある滲出性創傷を呈する。移行被覆材は、創傷部位の周囲に密閉される。移行被覆材は、第２のコネクタを有する実施例１の接続デバイスを介してキャニスタおよび制御ユニットに接続される。大気圧未満の約８０〜１２５ｍｍＨｇの陰圧が、創傷部位に印加される。滲出液は、移行被覆材の開口部を第２のコネクタの流体入口継手に接続する流体管を介して創傷部位から第２のコネクタに引き込まれる。滲出液は、第２のコネクタを通ってキャニスタ内に通過する。キャニスタは、制御ユニットから第２のコネクタを切り離すことによって任意選択で交換され、切り離すと、システム内の陰圧が、第２のコネクタを収容するデバイスからの滲出液の漏れを防止する。追加の被覆材、キャニスタ、および第２のコネクタが供給され、ＮＰＷＴは続行する。
【００８９】
吸収性被覆材を使用して滲出性創傷を管理することができるとき、追加の第２のコネクタは、前述のように制御ユニットから切り離される。第１のコネクタを有する実施例１の第２の接続デバイスは、ＮＰＷＴ中に創傷から除去された滲出液を保持するように構成されている吸収性創傷被覆材とともに患者に供給される。第２の接続デバイスは、患者がデバイスを吸収性創傷被覆材にしか接続できないように設計されている。患者は、第１のコネクタの空気出口継手を介して第２の接続デバイスを制御ユニットに接続し、管によって吸収性被覆材に接続された空気入口継手を介して吸収性被覆材に接続する。患者は、治療中に必要に応じて吸収性被覆材および第２の接続デバイスを任意選択で交換する。
【００９０】
本開示の好適な実施形態が本明細書に図示および説明されたが、このような実施形態が単に例として提供されていることが当業者には明白であろう。ここで、本発明から逸脱することなく、多くの変形、変更、および置換が当業者に思い付くであろう。本明細書に記載の本発明の実施形態に対する様々な代替が、本発明の実施に用いられてもよいことを理解されたい。以下の特許請求の範囲が、本発明の範囲を定義することと、これらの特許請求の範囲の範疇内の方法および構造ならびにそれらの同等物が特許請求の範囲によって網羅されることとが意図される。
【図１】
2019524229.tif 000003
【図２】
2019524229.tif 000004
【図３】
2019524229.tif 000005
【図４】
2019524229.tif 000006
【図５】
2019524229.tif 000007
【図６】
2019524229.tif 000008
【図７】
2019524229.tif 000009
【図８】
2019524229.tif 000010
【図９Ａ】
2019524229.tif 000011
【図９Ｂ】
2019524229.tif 000012
【図１０】
2019524229.tif 000013
【図１１】
2019524229.tif 000014
【図１２】
2019524229.tif 000015
【図１３】
2019524229.tif 000016
【図１４】
2019524229.tif 000017
【図１５】
2019524229.tif 000018
【国際調査報告】
2019524229.tif 000019
2019524229.tif 000020